(57)【要約】【課題】遊技に関する情報を報知するタイミングを遊技者自身で任意に変化させることが可能な遊技機を提供する。【解決手段】遊技機（１）には、予めメダル投入口（２２）を通じて投入したメダルのうち所定枚数を投入枚数カウンタに格納するためにＢＥＴスイッチ（１１〜１３）が設けられ、副制御回路（７２）は、ボーナス告知タイミング決定テーブルを参照し、ボーナスに内部当籤したことを報知するタイミングとして予め定めた複数のタイミングのうち、１回の単位遊技で該ＢＥＴスイッチ（１１〜１３）を操作した回数に基づいて一のタイミングを決定する。そして、液晶表示部（５ａ）では、タイミング決定手段により決定されたタイミングでボーナスに内部当籤したことを報知する。【選択図】図１２
2009028303.tif 000002
【特許請求の範囲】
【請求項１】
所定の操作部の操作により操作部操作信号が生成されたことに応じて、予め遊技媒体投入口を通じて投入した遊技媒体のうち、所定枚数が加算して格納される枚数格納手段と、
複数種類の図柄を変動表示すること及び停止表示することが可能な複数の表示部を有する図柄表示手段と、
前記枚数格納手段に格納された値が単位遊技の開始に必要な前記遊技媒体の枚数であることを条件に、開始操作信号に応じて、単位遊技の開始を指令する遊技開始指令信号を出力する開始指令手段と、
前記遊技開始指令信号に応じて、予め定めた複数の役から当籤役を決定する当籤役決定手段と、
前記遊技開始指令信号に応じて、前記図柄表示手段による図柄の変動表示を開始する開始制御手段と、
前記複数の表示部のそれぞれに対応して設けられ、停止操作信号に応じて、対応する表示部における図柄の変動表示の停止を指令する停止指令信号を出力する複数の停止指令手段と、
前記停止指令信号の出力に応じて、前記当籤役決定手段により決定された当籤役に基づいて、この停止指令信号に対応する表示部における図柄の変動表示を停止する停止制御手段と、
前記複数の表示部のそれぞれに停止表示された図柄組合せが前記当籤役に対応する図柄組合せであることを条件に、前記当籤役に対応する利益を付与する利益付与手段と、
遊技に関する情報を報知するタイミングとして予め定めた複数のタイミングのうち、１回の単位遊技で前記所定の操作部を操作した回数に基づいて一のタイミングを決定するタイミング決定手段と、
前記タイミング決定手段により決定されたタイミングで前記遊技に関する情報を報知する報知手段と、
を備えることを特徴とする遊技機。
【請求項２】
請求項１記載の遊技機において、
前記所定の操作部は、１回の単位遊技で前記枚数格納手段に加算、格納することが可能な最大枚数を加算、格納するための操作部であり、該最大枚数が前記枚数格納手段に格納されていることを条件に、前記所定の操作部が操作された場合であっても前記操作部操作信号が生成されることを禁止する操作部操作信号生成禁止手段を備えることを特徴とする遊技機。
【請求項３】
複数種類の図柄を変動表示すること及び停止表示することが可能な複数の表示部を有する図柄表示手段と、
単位遊技の開始に必要な枚数の遊技媒体が投入され、遊技媒体投入信号が生成されたことを条件に、開始操作信号に応じて、単位遊技の開始を指令する遊技開始指令信号を出力する開始指令手段と、
前記遊技開始指令信号に応じて、予め定めた複数の役から当籤役を決定する当籤役決定手段と、
前記遊技開始指令信号に応じて、前記図柄表示手段による図柄の変動表示を開始する開始制御手段と、
前記複数の表示部のそれぞれに対応して設けられ、停止操作信号に応じて、対応する表示部における図柄の変動表示の停止を指令する停止指令信号を出力する複数の停止指令手段と、
前記停止指令信号の出力に応じて、前記当籤役決定手段により決定された当籤役に基づいて、この停止指令信号に対応する表示部における図柄の変動表示を停止する停止制御手段と、
前記複数の表示部のそれぞれに停止表示された図柄組合せが前記当籤役に対応する図柄組合せであることを条件に、前記当籤役に対応する利益を付与する利益付与手段と、
遊技に関する情報を報知するタイミングとして予め定めた複数のタイミングのうち、前記単位遊技を開始するために投入した遊技媒体の枚数に基づいて一のタイミングを決定するタイミング決定手段と、
前記タイミング決定手段により決定されたタイミングで前記遊技に関する情報を報知する報知手段と、
を備えることを特徴とする遊技機。
【発明の詳細な説明】
【技術分野】
【０００１】
本発明は、遊技機に関する。
【背景技術】
【０００２】
例えば、停止ボタンを備えたスロットマシン、いわゆるパチスロ機は、正面の表示窓内に複数の図柄を表示する機械的回転リールを複数配列して構成した変動表示装置、或いはリール上の図柄を画面に表示する電気的変動表示装置を有する。遊技者の開始操作に応じて、制御手段が変動表示装置を駆動して各リールを回転させることにより、図柄を変動表示させ、一定時間後自動的に或いは遊技者の停止操作により、各リールの回転を順次停止させる。このとき、表示窓内に現れた各リールの図柄が特定の組合せ（入賞図柄）になった場合にコイン、メダルなどの遊技媒体を払出すことで遊技者に利益を付与するものである。
【０００３】
現在主流の機種は、複数種類の入賞態様を有するものである。特に、所定の役の入賞が成立したときは、１回のコインの払出しに終わらず、所定期間、通常の状態よりも条件のよい遊技状態となる。このような役として、遊技者に相対的に大きい利益を与えるゲームが所定回数行える役（「ビッグボーナス」と称し、以下「ＢＢ」と略記する）と、遊技者に相対的に小さい利益を与える遊技を所定ゲーム数行える役（「レギュラーボーナス」と称し、以下「ＲＢ」と略記する）がある。
【０００４】
また、現在主流の機種においては、有効化された入賞ライン（以下「有効ライン」という）に沿って所定の図柄の組合せが並び、コイン、メダルなどが払出される入賞が成立するには、内部的な抽籤処理（以下、「内部抽籤」という）により役に当籤（以下、「内部当籤」という）し、かつその内部当籤した役（以下、「内部当籤役」という）の入賞成立を示す図柄の組合せを有効ラインに停止できるタイミングで遊技者が停止操作を行うことが要求される。つまり、いくら内部当籤したとしても、遊技者の停止操作のタイミングが悪いと入賞を成立させることができない。すなわち、停止操作のタイミングに熟練した技術が要求される（「目押し」といわれる技術介入性の比重が高い）遊技機が現在の主流である。
【０００５】
このような遊技機では、ボーナスが内部当籤役として決定されたことを条件に、スタートレバーの操作に応じて点灯する告知ランプを備えたものが知られている（例えば、特許文献１参照）。この遊技機によれば、告知ランプの点灯によりボーナスに内部当籤したことを把握できる。
【特許文献１】特開２００７−１１７５０７号公報
【発明の開示】
【発明が解決しようとする課題】
【０００６】
しかしながら、上記のような遊技機では、遊技に関する情報を報知するタイミングが予め決まっているので、該タイミングが変化するような遊技機の提供が求められている。
【０００７】
本発明の目的は、遊技に関する情報を報知するタイミングを変化させることの可能な遊技機を提供することである。
【課題を解決するための手段】
【０００８】
本発明は、以上のような問題点に鑑みてなされたものであり、遊技機において、予め遊技媒体投入口を通じて投入した遊技媒体のうち所定枚数を枚数格納手段に格納するために所定の操作部が設けられ、遊技に関する情報を報知するタイミングとして予め定めた複数のタイミングのうち、１回の単位遊技で前記所定の操作部を操作した回数に基づいて一のタイミングを決定するタイミング決定手段と、該タイミング決定手段により決定されたタイミングで遊技に関する情報を報知する報知手段と、を備えることを特徴とする。
【０００９】
より具体的には、本発明では、以下のようなものを提供する。
【００１０】
（１）  所定の操作部（例えば、後述の最大ＢＥＴスイッチ１３など）の操作により操作部操作信号が生成されたことに応じて、予め遊技媒体投入口（例えば、後述のメダル投入口２２）を通じて投入した遊技媒体のうち、所定枚数が加算して格納される枚数格納手段（例えば、後述の投入枚数カウンタ、後述のＲＡＭ３３、後述の主制御回路７１など）と、複数種類の図柄を変動表示すること及び停止表示することが可能な複数の表示部（例えば、後述の表示窓４Ｌ，４Ｃ，４Ｒなど）を有する図柄表示手段（例えば、後述のリール３Ｌ，３Ｃ，３Ｒ、後述の表示窓４Ｌ，４Ｃ，４Ｒなど）と、前記枚数格納手段に格納された値が単位遊技の開始に必要な前記遊技媒体の枚数であることを条件に、開始操作信号に応じて、単位遊技（例えば、後述の一のゲームなど）の開始を指令する遊技開始指令信号（例えば、後述のゲームの開始を指令する信号など）を出力する開始指令手段（例えば、後述のスタートスイッチ６Ｓなど）と、前記遊技開始指令信号に応じて、予め定めた複数の役から当籤役（例えば、後述の内部当籤役、後述の持越役など）を決定する当籤役決定手段（例えば、後述の内部抽籤処理を行う手段、後述の主制御回路７１など）と、前記遊技開始指令信号に応じて、前記図柄表示手段による図柄の変動表示を開始する開始制御手段（例えば、後述のモータ駆動回路３９、後述のステッピングモータ４９Ｌ，４９Ｃ，４９Ｒ、後述の主制御回路７１など）と、前記複数の表示部のそれぞれに対応して設けられ、停止操作信号に応じて、対応する表示部における図柄の変動表示の停止を指令する停止指令信号（例えば、後述の図柄の変動の停止を指令する信号など）を出力する複数の停止指令手段（例えば、後述の停止スイッチ７ＬＳ，７ＣＳ，７ＲＳなど）と、前記停止指令信号の出力に応じて、前記当籤役決定手段により決定された当籤役に基づいて、この停止指令信号に対応する表示部における図柄の変動表示を停止する停止制御手段（例えば、後述の図１４のステップＳ１５〜ステップＳ１７の処理を行う手段、後述の主制御回路７１など）と、前記複数の表示部のそれぞれに停止表示された図柄組合せが前記当籤役に対応する図柄組合せであることを条件に、前記当籤役に対応する利益を付与する利益付与手段（例えば、後述のメダル払出処理を行う手段、後述のボーナス作動時処理を行う手段、後述の投入枚数カウンタを自動投入カウンタに複写する手段、後述の主制御回路７１など）と、遊技に関する情報を報知するタイミングとして予め定めた複数のタイミングのうち、１回の単位遊技で前記所定の操作部を操作した回数に基づいて一のタイミングを決定するタイミング決定手段（例えば、ボーナス告知タイミング決定テーブル（図１２）を参照して、最大ＢＥＴスイッチ操作回数カウンタの値に基づいてボーナス告知演出のタイミングを決定する手段、後述の副制御回路７２など）と、前記タイミング決定手段により決定されたタイミングで前記遊技に関する情報を報知する報知手段（例えば、後述の液晶表示部５ａなど）と、を備えることを特徴とする遊技機。
【００１１】
（１）記載の遊技機によれば、予め遊技媒体投入口を通じて投入した遊技媒体のうち所定枚数を枚数格納手段に格納するために所定の操作部が設けられ、タイミング決定手段は、遊技に関する情報を報知するタイミングとして予め定めた複数のタイミングのうち、１回の単位遊技で該所定の操作部を操作した回数に基づいて一のタイミングを決定する。そして、報知手段は、タイミング決定手段により決定されたタイミングで遊技に関する情報を報知する。このようにすることで、遊技に関する情報を報知するタイミングを遊技者自身による所定の操作部の操作によって任意に変化させることが可能な遊技機を提供することができる。
【００１２】
また、所定の操作部は、予め遊技媒体投入口を通じて投入した遊技媒体のうち所定枚数を枚数格納手段に格納するためのものであり、一般的な遊技機に設けられている構成である。そのため、遊技に関する情報を報知するタイミングを決定するために新たな操作部を設ける必要がない。したがって、該情報を報知するタイミングを決定するための操作部を備えた筐体を新規に製造することなく、従来の筐体の内部に設けられた制御基板を交換するだけでよいため、上述の効果が得られる遊技機を低コストで簡易に提供することができる。
【００１３】
また、開始操作信号を生成するための部材の操作回数や停止操作信号を生成するための部材の操作回数ではなく、予め遊技媒体投入口を通じて投入した遊技媒体のうち所定枚数を枚数格納手段に格納するための操作部（所定の操作部）の操作回数に基づいて遊技に関する情報を報知するタイミングを変化させるようにしている。そのため、単位遊技の開始前に遊技に関する情報を報知するタイミングを設定できるので、該設定を落ち着いて行うことができる。
【００１４】
（２）  （１）記載の遊技機において、前記所定の操作部は、１回の単位遊技で前記枚数格納手段に加算、格納することが可能な最大枚数を加算、格納するための操作部（例えば、後述の最大ＢＥＴスイッチ１３）であり、該最大枚数が前記枚数格納手段に格納されていることを条件に、前記所定の操作部が操作された場合であっても前記操作部操作信号が生成されることを禁止する操作部操作信号生成禁止手段（例えば、後述のクレジットカウンタ更新処理において、最大ＢＥＴスイッチ１３を検出した場合には、その検出によりクレジットカウンタを更新するための信号が生成されることを禁止する手段、後述の主制御回路７１など。）を備えることを特徴とする遊技機。
【００１５】
（２）記載の遊技機によれば、１回の単位遊技で前記枚数格納手段に加算、格納することが可能な最大枚数を加算、格納するために設けられた操作部（所定の操作部）の操作回数に基づいて遊技に関する情報を報知するタイミングを決定するようにしている。したがって、１回の単位遊技あたりに前記枚数格納手段に加算、格納する遊技媒体の数量を変えることなく上述の効果が得られる遊技機を提供することができる。
【００１６】
（３）  複数種類の図柄を変動表示すること及び停止表示することが可能な複数の表示部（例えば、後述の表示窓４Ｌ，４Ｃ，４Ｒなど）を有する図柄表示手段（例えば、後述のリール３Ｌ，３Ｃ，３Ｒ、後述の表示窓４Ｌ，４Ｃ，４Ｒなど）と、単位遊技の開始に必要な枚数の遊技媒体が投入され、遊技媒体投入信号が生成されたことを条件に、開始操作信号に応じて、単位遊技（例えば、後述の一のゲームなど）の開始を指令する遊技開始指令信号（例えば、後述のゲームの開始を指令する信号など）を出力する開始指令手段（例えば、後述のスタートスイッチ６Ｓなど）と、前記遊技開始指令信号に応じて、予め定めた複数の役から当籤役（例えば、後述の内部当籤役、後述の持越役など）を決定する当籤役決定手段（例えば、後述の内部抽籤処理を行う手段、後述の主制御回路７１など）と、前記遊技開始指令信号に応じて、前記図柄表示手段による図柄の変動表示を開始する開始制御手段（例えば、後述のモータ駆動回路３９、後述のステッピングモータ４９Ｌ，４９Ｃ，４９Ｒ、後述の主制御回路７１など）と、前記複数の表示部のそれぞれに対応して設けられ、停止操作信号に応じて、対応する表示部における図柄の変動表示の停止を指令する停止指令信号（例えば、後述の図柄の変動の停止を指令する信号など）を出力する複数の停止指令手段（例えば、後述の停止スイッチ７ＬＳ，７ＣＳ，７ＲＳなど）と、前記停止指令信号の出力に応じて、前記当籤役決定手段により決定された当籤役に基づいて、この停止指令信号に対応する表示部における図柄の変動表示を停止する停止制御手段（例えば、後述の図１４のステップＳ１５〜ステップＳ１７の処理を行う手段、後述の主制御回路７１など）と、前記複数の表示部のそれぞれに停止表示された図柄組合せが前記当籤役に対応する図柄組合せであることを条件に、前記当籤役に対応する利益を付与する利益付与手段（例えば、後述のメダル払出処理を行う手段、後述のボーナス作動時処理を行う手段、後述の投入枚数カウンタを自動投入カウンタに複写する手段、後述の主制御回路７１など）と、遊技に関する情報を報知するタイミングとして予め定めた複数のタイミングのうち、１回の単位遊技で前記所定の操作部を操作した回数に基づいて一のタイミングを決定するタイミング決定手段（例えば、ボーナス告知タイミング決定テーブル（図１２）を参照して、最大ＢＥＴスイッチ操作回数カウンタの値に基づいてボーナス告知演出のタイミングを決定する手段、後述の副制御回路７２など）と、前記タイミング決定手段により決定されたタイミングで前記遊技に関する情報を報知する報知手段（例えば、後述の液晶表示部５ａなど）と、を備えることを特徴とする遊技機。
【００１７】
（３）記載の遊技機によれば、タイミング決定手段は、遊技に関する情報を報知するタイミングとして予め定めた複数のタイミングのうち、単位遊技を開始するために投入した遊技媒体の枚数に基づいて一のタイミングを決定する。そして、報知手段は、タイミング決定手段により決定されたタイミングで遊技に関する情報を報知する。このようにすることで、遊技媒体の投入枚数を変えることによって遊技に関する情報を報知するタイミングを任意に変化させることが可能な遊技機を提供することができる。
【００１８】
また、遊技媒体を投入するための部材は、一般的な遊技機に設けられている構成であるため、遊技に関する情報を報知するタイミングを新たな操作部を設ける必要がない。したがって、該情報を報知するタイミングを決定するための操作部を備えた筐体を新規に製造することなく、従来の筐体の内部に設けられた制御基板を交換するだけでよいため、上述の効果が得られる遊技機を低コストで簡易に提供することができる。
【００１９】
また、開始操作信号を生成するための部材の操作回数や停止操作信号を生成するための部材の操作回数ではなく、遊技媒体の投入枚数に基づいて遊技に関する情報を報知するタイミングを変化させるようにしている。そのため、単位遊技の開始前に遊技に関する情報を報知するタイミングを設定できるので、該設定を落ち着いて行うことができる。
【発明の効果】
【００２０】
本発明によれば、遊技に関する情報を報知するタイミングを遊技者自身で任意に変化させることが可能な遊技機を提供することができる。
【発明を実施するための最良の形態】
【００２１】
以下、実施例の遊技機について説明する。
【００２２】
図１は、本発明の一実施例の遊技機１の外観を示す斜視図である。遊技機１は、いわゆる「パチスロ機」である。この遊技機１は、コイン、メダル、遊技球又はトークンなどの他、遊技者に付与された、もしくは付与される遊技価値の情報を記憶したカードなどの遊技媒体を用いて遊技する遊技機であるが、以下ではメダルを用いるものとして説明する。
【００２３】
遊技機１の全体を形成している筐体４は、箱状のキャビネット６０と、このキャビネット６０を開閉する前面ドア２と、を備える。この前面ドア２の正面の略中央には、縦長矩形の表示窓４Ｌ，４Ｃ，４Ｒが設けられる。表示窓４Ｌ，４Ｃ，４Ｒには、表示ラインとして、水平方向にトップライン８ｂ、センターライン８ｃ及びボトムライン８ｄ、斜め方向にクロスアップライン８ａ及びクロスダウンライン８ｅが設けられている。
【００２４】
これらの表示ラインは、後述の１−ＢＥＴスイッチ１１、２−ＢＥＴスイッチ１２、最大ＢＥＴスイッチ１３を操作すること（以下「ＢＥＴ操作」という）、或いはメダル投入口２２にメダルを投入することにより、それぞれ１本、３本、５本が有効化される。どの表示ラインが有効化されたかは、後で説明するＢＥＴランプ９ａ，９ｂ，９ｃの点灯で表示される。
【００２５】
ここで、表示ライン８ａ〜８ｅは、役の成否に関わる。具体的には、所定の役に対応する図柄組合せを構成する図柄がいずれかの有効ライン（有効化された表示ライン）に対応する所定の位置に並んで停止表示されることにより、所定の役が成立することとなる。
【００２６】
前面ドア２の裏面には、複数のリール３Ｌ，３Ｃ，３Ｒが回転自在に横一列に設けられている。各リール３Ｌ，３Ｃ，３Ｒには、それぞれの外周面に、遊技に必要な複数種類の図柄によって構成される識別情報としての図柄列が描かれており、各リール３Ｌ，３Ｃ，３Ｒの図柄は表示窓４Ｌ，４Ｃ，４Ｒを通して、遊技機１の外部から視認できるようになっている。また、各リール３Ｌ，３Ｃ，３Ｒは、定速回転（例えば８０回転／分）で回転し、図柄列を変動表示する。
【００２７】
表示窓４Ｌ，４Ｃ，４Ｒの上方には、画像表示手段としての液晶表示部５ａ及びスピーカ９Ｌ，９Ｒが設けられる。液晶表示部５ａは、表示窓４Ｌ，４Ｃ，４Ｒよりも大きな表示面を備え、画像表示による演出を行う。また、スピーカ９Ｌ，９Ｒは、効果音や音声などの音による演出を行う。
【００２８】
表示窓４Ｌ，４Ｃ，４Ｒの左側には、１−ＢＥＴランプ９ａ、２−ＢＥＴランプ９ｂ、最大ＢＥＴランプ９ｃが設けられる。１−ＢＥＴランプ９ａ、２−ＢＥＴランプ９ｂ及び最大ＢＥＴランプ９ｃは、一のゲームを行うために賭けられたメダルの数（以下「ＢＥＴ数」という）に応じて点灯する。
【００２９】
１−ＢＥＴランプ９ａは、ＢＥＴ数が「１」で１本の表示ラインが有効化されたとき（１本の有効ラインが設定されたとき）に点灯する。２−ＢＥＴランプ９ｂは、ＢＥＴ数が「２」で３本の表示ラインが有効化されたとき（３本の有効ラインが設定されたとき）に点灯する。最大ＢＥＴランプ９ｃは、ＢＥＴ数が「３」で全て（５本）の表示ラインが有効化されたとき（全て（５本）の有効ラインが設定されたとき）に点灯する。
【００３０】
表示窓４Ｌ，４Ｃ，４Ｒの下方には、略水平面の台座部１０が形成されている。この台座部１０の水平面内のうち、右側にはメダル投入口２２が設けられ、左側には１−ＢＥＴスイッチ１１、２−ＢＥＴスイッチ１２、及び最大ＢＥＴスイッチ１３が設けられる。
【００３１】
１−ＢＥＴスイッチ１１は、１回の押し操作により、クレジットされているメダルのうちの１枚がゲームに賭けられ、２−ＢＥＴスイッチ１２は、１回の押し操作により、クレジットされているメダルのうちの２枚がゲームに賭けられ、最大ＢＥＴスイッチ１３は、１回のゲームに賭けることが可能な最大枚数のメダルが賭けられる。これらのＢＥＴスイッチ１１，１２，１３を操作することで、前述のとおり、所定の表示ラインが有効化される。
【００３２】
台座部１０の前面部の左寄りには、遊技者がゲームで獲得したメダルのクレジット／払出しを押しボタン操作で切り換えるＣ／Ｐスイッチ１４が設けられている。このＣ／Ｐスイッチ１４の切り換えにより、正面下部のメダル払出口１５からメダルが払出され、払出されたメダルはメダル受け部１６に溜められる。Ｃ／Ｐスイッチ１４の右側には、遊技者の回動操作により上記リールを回転させ、表示窓４Ｌ，４Ｃ，４Ｒ内での図柄の変動表示を開始するための開始操作手段としてのスタートレバー６が所定の角度範囲で回動自在に取り付けられている。
【００３３】
台座部１０の前面部の略中央には、遊技者の押下操作により３個のリール３Ｌ，３Ｃ，３Ｒの回転をそれぞれ停止させるための停止操作手段としての停止ボタン７Ｌ，７Ｃ，７Ｒが設けられている。なお、実施例では、一のゲーム（単位遊技）は、基本的にスタートレバー６が操作されることにより開始し、全てのリール３Ｌ，３Ｃ，３Ｒが停止したときに終了する。
【００３４】
実施例では、全てのリールが回転しているときに行われるリールの停止操作（停止ボタンの操作）を「第１停止操作」、「第１停止操作」の後に行われる停止操作を「第２停止操作」、「第２停止操作」の後に行われる停止操作を「第３停止操作」という。
【００３５】
前面ドア２下部の正面には、メダルが払出されるメダル払出口１５と、この払出されたメダルを貯留するメダル受け部１６とが設けられている。また、前面ドア２下部の正面のうち、停止ボタン７Ｌ，７Ｃ，７Ｒとメダル受け部１６とに上下を挟まれた面には、機種のモチーフに対応したデザインがあしらわれた腰部パネル２０が取り付けられている。
【００３６】
図２は、各リール３Ｌ，３Ｃ，３Ｒに表わされた複数種類の図柄が２１個配列された図柄列を示している。各図柄には“０”〜“２０”のコードナンバーが付され、データテーブルとして後に説明するＲＯＭ３２（図３）に格納（記憶）されている。各リール３Ｌ，３Ｃ，３Ｒ上には、“赤７（図柄９１）”、“青７（図柄９２）”、“ＢＡＲ（図柄９３）”、“チェリー（図柄９４）”、“ベル（図柄９５）”、“スイカ（図柄９６）”、“リプレイ（図柄９７）”、及び“ブランク（図柄９８）”の図柄で構成される図柄列が表わされている。各リール３Ｌ，３Ｃ，３Ｒは、図柄列が図２の矢印方向に移動するように回転駆動される。
【００３７】
ここで、実施例の役には、ＲＢ（レギュラーボーナス）、ＢＢ１（ビッグボーナス１）、ＢＢ２（ビッグボーナス２）、チェリー、ベル、スイカ、及びリプレイが設けられている。
【００３８】
ＲＢは第１種特別役物である。「第１種特別役物」とは、規定数ごとの入賞に係る図柄の組合せの数を増加させ、又は規定数ごとの入賞に係る条件装置が作動する確率を上昇させる役物で、予め定められた場合に１２回を超えない回数の遊技の結果が得られるまで作動を継続することができるものをいう。
【００３９】
「入賞」とは、図柄についてメダルを獲得するため必要な組合せとして予め定められたものが表示されることをいう。
【００４０】
ＢＢ１及びＢＢ２は、第１種特別役物に係る役物連続作動装置である。「第１種特別役物に係る役物連続作動装置」とは、第１種特別役物を連続して作動させることができる装置で、特定の図柄組合せが表示された場合に作動し予め定められた場合に作動を終了するものをいう。
【００４１】
なお、以下では、ＢＢ１及びＢＢ２を総称して「ＢＢ」といい、ＢＢ及びＲＢを総称して「ボーナス」という。また、スイカ、チェリー、ベルを総称して「小役」という。
【００４２】
役（役データ）は、基本的に、遊技者に付与される利益と図柄組合せとが対応付けられた制御情報であり、リール３Ｌ，３Ｃ，３Ｒの停止制御、遊技状態の切り換え（移行）、遊技価値の付与などに用いられる。
【００４３】
また、実施例の遊技状態には、一般遊技状態とＲＢ遊技状態とがある。遊技状態は、基本的に、内部当籤役の決定に用いる内部抽籤テーブルの種類により区別できる。具体的には、遊技状態は、内部当籤する可能性のある役の種類、内部当籤する確率などにより区別できる。
【００４４】
一般遊技状態は、いわゆる「出玉率」（遊技を行うために投入されたメダルの枚数に対して遊技者に払出されるメダルの枚数）の期待値が１よりも小さい遊技状態である。この一般遊技状態は、ＢＢを持越役とするフラグ間と、持越役としない非フラグ間とで構成される。「持越役」とは、対応する図柄組合せが有効ラインに沿って並ぶことが一又は複数のゲームにわたり許容される役をいい、フラグ間では、ＢＢに対応する図柄組合せが有効ラインに沿って並ぶことが一又は複数のゲームにわたり許容される。また、フラグ間では、ＢＢに内部当籤することがなく、非フラグ間では、ＢＢに内部当籤することがあるため、同じ一般遊技状態であっても、フラグ間と非フラグ間とはそれぞれ異なる遊技状態である。
【００４５】
ＲＢ遊技状態は、第１種特別役物が作動しているゲームにより構成される遊技状態である。
【００４６】
ＲＢ遊技状態は、ＲＢ作動中フラグのオン又はオフにより識別できる。ＲＢ作動中フラグは、遊技状態がＲＢ遊技状態であるか否かを識別するための情報である。ＲＢ作動中フラグがオンに更新される条件は、ＲＢが成立すること又は後述のＢＢ作動中フラグがオンであることである。
【００４７】
また、ＲＢ作動中フラグがオフに更新される条件は、遊技可能回数が０となること、入賞可能回数が０となること、又はＢＢ作動中フラグがオフに更新されることである。「遊技可能回数」とは、ＲＢ遊技状態において行うことが可能な単位遊技の回数をいい、実施例では１２回と規定されている。「入賞可能回数」とは、ＲＢ遊技状態において入賞可能な回数をいい、実施例では８回と規定されている。
【００４８】
ＢＢ作動中フラグは、ＢＢの成立により発生する有利な状態であるか否かを識別するための情報である。ＢＢ作動中フラグがオンに更新される条件は、ＢＢが成立することである。ＢＢ作動中フラグがオフに更新される条件は、払出されたメダルの枚数が払出可能枚数を超えることである。「払出可能枚数」とは、ＢＢ作動中フラグがオンに更新されてからＢＢ作動中フラグがオフに更新されるまでの遊技（ゲーム）において払出すことが可能なメダルの枚数をいい、実施例では３５０枚である。
【００４９】
ここで、ＢＢ作動中フラグがオンに更新されてからオフに更新されるまでのＢＢ作動中フラグとＲＢ作動中フラグとの関係について説明する。ＢＢが成立した場合に、ＢＢ作動中フラグがオンに更新される。このＢＢ作動中フラグがオンに更新されたことを契機にＲＢ作動中フラグがオンに更新される。そして、遊技可能回数が０となる、又は入賞可能回数が０となると、ＲＢ作動中フラグがオフに更新される。ＢＢ作動中フラグがオンであれば、再びＲＢ作動中フラグがオンに更新される。
【００５０】
ＢＢ作動中フラグがオフに更新される条件を充足した場合に、ＢＢ作動中フラグがオフに更新されるが、このＢＢ作動中フラグがオフに更新されたことを契機にＲＢ作動中フラグがオフに更新される。したがって、ＢＢ作動中フラグがオンであるときは、ＲＢ作動中フラグがオンに更新される。すなわち、ＢＢ成立後は、ＢＢ作動中フラグがオフに更新されるまでＲＢ遊技状態となる。
【００５１】
図３は、遊技機１における遊技処理動作を制御する主制御回路７１と、主制御回路７１に電気的に接続する周辺装置（アクチュエータ）と、主制御回路７１から送信される制御指令に基づいて液晶表示部５ａ、スピーカ９Ｌ，９Ｒ、ＬＥＤ類１０１及びランプ類１０２を制御する副制御回路７２とを含む回路構成を示す。
【００５２】
主制御回路７１は、回路基板上に配置されたマイクロコンピュータ３０を主たる構成要素とし、これに乱数サンプリングのための回路を加えて構成されている。マイクロコンピュータ３０は、予め設定されたプログラム（後述の図１３〜図１９）にしたがって制御動作を行うＣＰＵ３１と、記憶手段であるＲＯＭ３２及びＲＡＭ３３を含む。
【００５３】
ＣＰＵ３１には、基準クロックパルスを発生するクロックパルス発生回路３４及び分周器３５と、サンプリングされる乱数を発生する乱数発生器３６及びサンプリング回路３７とが接続されている。なお、乱数サンプリングのための手段として、マイクロコンピュータ３０内で、すなわちＣＰＵ３１の動作プログラム上で、乱数サンプリングを実行するように構成してもよい。その場合、乱数発生器３６及びサンプリング回路３７は省略可能であり、或いは、乱数サンプリング動作のバックアップ用として残しておくことも可能である。
【００５４】
マイクロコンピュータ３０のＲＯＭ３２には、スタートレバー６を操作（スタート操作）するごとに行われる乱数サンプリングの判定に用いられる内部抽籤テーブル（後述の図６）、停止ボタンの操作に応じてリールの停止態様を決定するための停止テーブル群などが格納されている。また、副制御回路７２へ送信するための各種制御指令（コマンド）などが格納されている。副制御回路７２が主制御回路７１へコマンド、情報などを入力することはなく、主制御回路７１から副制御回路７２への一方向で通信が行われる。ＲＡＭ３３には、種々の情報が格納され、後述の図１０に示す格納領域などが設けられている。ＲＡＭ３３には、例えば、内部当籤役、後述の持越役などの情報などが格納される。
【００５５】
図３の回路において、マイクロコンピュータ３０からの制御信号により動作が制御される主要なアクチュエータとしては、ＢＥＴランプ９と、メダルを収納し、ホッパー駆動回路４１の命令により所定枚数のメダルを払出すホッパー（払出しのための駆動部を含む）４０と、リール３Ｌ，３Ｃ，３Ｒを回転駆動するステッピングモータ４９Ｌ，４９Ｃ，４９Ｒとがある。
【００５６】
さらに、ステッピングモータ４９Ｌ，４９Ｃ，４９Ｒを駆動制御するモータ駆動回路３９、ホッパー４０を駆動制御するホッパー駆動回路４１、及びＢＥＴランプ９を駆動制御するランプ駆動回路４５がＣＰＵ３１の出力部に接続されている。これらの駆動回路は、それぞれＣＰＵ３１から出力される駆動指令などの制御信号を受けて、各アクチュエータの動作を制御する。
【００５７】
また、マイクロコンピュータ３０が制御指令を発生するために必要な入力信号を発生する主な入力信号発生手段としては、スタートスイッチ６Ｓ、停止スイッチ７ＬＳ，７ＣＳ，７ＲＳ、ＢＥＴスイッチ１１〜１３、Ｃ／Ｐスイッチ１４、メダルセンサ２２Ｓ、リール位置検出回路５０、払出完了信号回路５１がある。
【００５８】
スタートスイッチ６Ｓは、スタートレバー６の操作を検出し、遊技開始指令信号（ゲームの開始を指令する信号）を出力する。メダルセンサ２２Ｓは、メダル投入口２２に投入されたメダルを検出する。停止スイッチ７ＬＳ，７ＣＳ，７ＲＳは、対応する停止ボタン７Ｌ，７Ｃ，７Ｒの操作に応じて停止指令信号（図柄の変動の停止を指令する信号）を発生する。リール位置検出回路５０は、リール回転センサからのパルス信号を受けて各リール３Ｌ，３Ｃ，３Ｒの位置を検出するための信号をＣＰＵ３１へ供給する。払出完了信号回路５１は、メダル検出部４０Ｓの計数値（ホッパー４０から払出されたメダルの枚数）が指定された枚数データに達した時、メダル払出完了を検知するための信号を発生する。
【００５９】
図３の回路において、乱数発生器３６は、一定の数値範囲（乱数範囲）に属する乱数を発生し、サンプリング回路３７は、スタートレバー６が操作された後の適宜のタイミングで１個の乱数をサンプリングする。こうしてサンプリングされた乱数を使用することにより、例えばＲＯＭ３２内に格納されている確率抽籤テーブルなどに基づいて内部当籤役などが決定される。内部当籤役（内部当籤役データ）は、その内部当籤役に対応する停止制御の態様、或いは表示役などを介して、対応する図柄組合せと遊技者に付与される利益とが間接的に対応付けられているといえる。
【００６０】
リール３Ｌ，３Ｃ，３Ｒの回転が開始された後、ステッピングモータ４９Ｌ，４９Ｃ，４９Ｒの各々に供給される駆動パルスの数が計数され、その計数値はＲＡＭ３３の所定エリアに書き込まれる。リール３Ｌ，３Ｃ，３Ｒからは一回転ごとにリセットパルスが得られ、これらのパルスはリール位置検出回路５０を介してＣＰＵ３１に入力される。こうして得られたリセットパルスにより、ＲＡＭ３３で計数されている駆動パルスの計数値が“０”にクリアされる。これにより、ＲＡＭ３３内には、各リール３Ｌ，３Ｃ，３Ｒについて一回転の範囲内における回転位置に対応した計数値が格納される。
【００６１】
上記のようなリール３Ｌ，３Ｃ，３Ｒの回転位置とリール外周面上に描かれた図柄とを対応づけるために、図柄テーブル（図示せず）が、ＲＯＭ３２内に格納されている。この図柄テーブルでは、前述したリセットパルスが発生する回転位置を基準として、各リール３Ｌ，３Ｃ，３Ｒの一定の回転ピッチごとに順次付与されるコードナンバーと、それぞれのコードナンバーごとに対応して設けられた図柄を示す図柄コードとが対応づけられている。
【００６２】
さらに、ＲＯＭ３２内には、図柄組合せテーブル（図８）が格納されている。この図柄組合せテーブルでは、役の成立（入賞など）となる図柄の組合せと、入賞のメダル配当枚数と、その入賞（成立）を表わす入賞判定コード（成立判定コード）とが対応づけられている。上記の図柄組合せテーブルは、左のリール３Ｌ，中央のリール３Ｃ，右のリール３Ｒの停止制御時、及び全リール３Ｌ，３Ｃ，３Ｒの停止後の入賞確認（表示役の確認）を行う場合に参照される。表示役（表示役データ）は、基本的に、有効ラインに沿って並ぶ図柄組合せに対応する役（成立役）である。遊技者には、表示役に対応する利益が付与される。
【００６３】
上記乱数サンプリングに基づく抽籤処理（内部抽籤処理など）により内部当籤役や停止用当籤役を決定した場合には、ＣＰＵ３１は、遊技者が停止ボタン７Ｌ，７Ｃ，７Ｒを操作したタイミングで停止スイッチ７ＬＳ，７ＣＳ，７ＲＳから送られる操作信号、及び決定された停止テーブルに基づいて、リール３Ｌ，３Ｃ，３Ｒを停止制御する信号をモータ駆動回路３９に送る。
【００６４】
当籤した役の入賞を示す停止態様（すなわち入賞態様）となれば、ＣＰＵ３１は、払出指令信号をホッパー駆動回路４１に供給してホッパー４０から所定個数のメダルの払出を行う。その際、メダル検出部４０Ｓは、ホッパー４０から払出されるメダルの枚数を計数し、その計数値が指定された数に達した時に、メダル払出完了信号がＣＰＵ３１に入力される。これにより、ＣＰＵ３１は、ホッパー駆動回路４１を介してホッパー４０の駆動を停止し、メダル払出処理を終了する。
【００６５】
図４に示す副制御回路７２のブロック図を参照して、副制御回路７２の構成について説明する。
【００６６】
副制御回路７２は、画像制御回路（ｇＳｕｂ）７２ａと、音・ランプ制御回路（ｍＳｕｂ）７２ｂとから構成されている。この画像制御回路（ｇＳｕｂ）７２ａ又は音・ランプ制御回路（ｍＳｕｂ）７２ｂは、主制御回路７１を構成する回路基板とは各々別の回路基板上に構成されている。
【００６７】
主制御回路７１と画像制御回路（ｇＳｕｂ）７２ａとの間の通信は、主制御回路７１から画像制御回路（ｇＳｕｂ）７２ａへの一方向で行われ、画像制御回路（ｇＳｕｂ）７２ａが主制御回路７１へコマンド、情報などを入力することはない。また、画像制御回路（ｇＳｕｂ）７２ａと音・ランプ制御回路（ｍＳｕｂ）７２ｂとの間の通信は、画像制御回路（ｇＳｕｂ）７２ａから音・ランプ制御回路（ｍＳｕｂ）７２ｂへの一方向で行われ、音・ランプ制御回路（ｍＳｕｂ）７２ｂが画像制御回路（ｇＳｕｂ）７２ａへコマンド、情報などを入力することはない。
【００６８】
画像制御回路（ｇＳｕｂ）７２ａは、画像制御マイコン８１、シリアルポート８２、プログラムＲＯＭ８３、ワークＲＡＭ８４、カレンダＩＣ８５、画像制御ＩＣ８６、制御ＲＡＭ８７、画像ＲＯＭ（ＣＲＯＭ（キャラクタＲＯＭ））８８及びビデオＲＡＭ８９で構成される。
【００６９】
画像制御マイコン８１は、ＣＰＵ、割込コントローラ、入出力ポート（シリアルポートは図示）を備えている。画像制御マイコン８１に備えられたＣＰＵは、主制御回路７１から送信されたコマンドに基づき、プログラムＲＯＭ８３内に格納された制御プログラムにしたがって各種の処理を行う。なお、画像制御回路（ｇＳｕｂ）７２ａは、クロックパルス発生回路、分周器、乱数発生器及びサンプリング回路を備えていないが、画像制御マイコン８１の動作プログラム上で乱数サンプリングを実行するように構成されている。
【００７０】
シリアルポート８２は、主制御回路７１から送信されるコマンドなどを受信する。プログラムＲＯＭ８３は、画像制御マイコン８１で実行する制御プログラム（後述の図２０〜図２７）、後述の各種テーブル（後述の図１１、図１２）などを格納する。
【００７１】
ワークＲＡＭ８４は、画像制御マイコン８１が前述した制御プログラムを実行する場合の、作業用の一時記憶手段として構成される。ワークＲＡＭ８４には、種々の情報が格納される。例えば、後述の、演出識別子、フレーム識別子などの情報が格納される。
【００７２】
カレンダＩＣ８５は、日付データを記憶する。画像制御マイコン８１には、操作部１７が接続されている。実施例では、この操作部１７を遊技場の従業員などが操作することにより日付の設定などが行われるようになっている。画像制御マイコン８１は、操作部１７から送信される入力信号に基づいて設定された日付情報をカレンダＩＣ８５に記憶する。カレンダＩＣ８５に記憶された日付情報はバックアップされることとなる。
【００７３】
また、前述のワークＲＡＭ８４とカレンダＩＣ８５は、バックアップ対象となっている。つまり、画像制御マイコン８１に供給される電源が遮断された場合であっても、電源が供給され続け、記憶された情報などの消去が防止される。
【００７４】
画像制御ＩＣ８６は、画像制御マイコン８１により決定された演出内容に応じた画像を生成し、液晶表示部５ａに出力する。
【００７５】
制御ＲＡＭ８７は、画像制御ＩＣ８６の中に含まれている。画像制御マイコン８１は、この制御ＲＡＭ８７に対して情報などの書き込みや読み出しを行う。また、制御ＲＡＭ８７には、画像制御ＩＣ８６のレジスタと、スプライト属性テーブルと、カラーパレットテーブルと、が展開されている。画像制御マイコン８１は、画像制御ＩＣ８６のレジスタと、スプライト属性テーブルとを所定のタイミングごとに更新する。
【００７６】
画像制御ＩＣ８６には、液晶表示部５ａと、画像ＲＯＭ８８と、ビデオＲＡＭ８９とが接続されている。なお、画像ＲＯＭ８８が画像制御マイコン８１に接続された構成であってもよい。この場合、３次元画像データなど大量の画像データを処理する場合に有効な構成となる場合がある。画像ＲＯＭ８８は、画像を生成するための画像データ、ドットデータなどを格納する。ビデオＲＡＭ８９は、画像制御ＩＣ８６で画像を生成する場合の一時記憶手段として構成される。また、画像制御ＩＣ８６は、ビデオＲＡＭ８９のデータを液晶表示部５ａに転送終了するごとに画像制御マイコン８１に信号を送信する。
【００７７】
また、画像制御回路（ｇＳｕｂ）７２ａでは、画像制御マイコン８１が、音・ランプの演出の制御も行うこととなっている。画像制御マイコン８１は、決定された演出に基づいて、音・ランプの種類及び出力タイミングを決定する。そして、画像制御マイコン８１は、所定のタイミングごとに、音・ランプ制御回路（ｍＳｕｂ）７２ｂにシリアルポート８２を介してコマンドを送信する。音・ランプ制御回路（ｍＳｕｂ）７２ｂでは、主に、画像制御回路（ｇＳｕｂ）７２ａから送信されたコマンドに応じて、音・ランプの出力のみを行うこととなる（後述する音量調節制御を除く）。
【００７８】
音・ランプ制御回路（ｍＳｕｂ）７２ｂは、音・ランプ制御マイコン１１１、シリアルポート１１２、プログラムＲＯＭ１１３、ワークＲＡＭ１１４、音源ＩＣ１１５、パワーアンプ１１６、音源ＲＯＭ１１７で構成される。
【００７９】
音・ランプ制御マイコン１１１は、ＣＰＵ、割込コントローラ、入出力ポート（シリアルポートは図示）を備えている。音・ランプ制御マイコン１１１に備えられたＣＰＵは、画像制御回路（ｇＳｕｂ）７２ａから送信されたコマンドに基づき、プログラムＲＯＭ１１３内に格納された制御プログラムにしたがって音・ランプの出力処理を行う。また、音・ランプ制御マイコン１１１には、ＬＥＤ類１０１及びランプ類１０２が接続されている。音・ランプ制御マイコン１１１は、画像制御回路（ｇＳｕｂ）７２ａから所定のタイミングで送信されるコマンドに応じて、このＬＥＤ類１０１及びランプ類１０２に出力信号を送信する。これにより、ＬＥＤ類１０１及びランプ類１０２が演出に応じた所定の態様で発光することとなる。
【００８０】
シリアルポート１１２は、画像制御回路（ｇＳｕｂ）７２ａから送信されるコマンドなどを受信する。プログラムＲＯＭ１１３は、音・ランプ制御マイコン１１１で実行する制御プログラムなどを格納する。ワークＲＡＭ１１４は、音・ランプ制御マイコン１１１が前述した制御プログラムを実行する場合の、作業用の一時記憶手段として構成される。
【００８１】
音源ＩＣ１１５は、画像制御回路（ｇＳｕｂ）７２ａから送信されたコマンドに基づいて音源を生成し、パワーアンプ１１６に出力する。パワーアンプ１１６は増幅器であり、このパワーアンプ１１６にはスピーカ９Ｌ，９Ｒが接続されている。パワーアンプ１１６は、音源ＩＣ１１５から出力された音源を増幅し、増幅した音源をスピーカ９Ｌ，９Ｒから出力させる。音源ＲＯＭ１１７は、音源を生成するための音源データ（フレーズなど）などを格納する。
【００８２】
また、音・ランプ制御マイコン１１１には、音量調節部１０３が接続されている。音量調節部１０３は、遊技場の従業員などにより操作可能となっており、スピーカ９Ｌ，９Ｒから出力される音量の調節が行われる。音・ランプ制御マイコン１１１は、音量調節部１０３から送信される入力信号に基づいて、スピーカ９Ｌ，９Ｒから出力される音を入力された音量に調節する音量調節制御を行う。
【００８３】
図５を参照して、内部抽籤テーブル決定テーブルについて説明する。
【００８４】
内部抽籤テーブル決定テーブルは、遊技状態に対応する内部抽籤テーブルの種別の情報及び抽籤回数の情報を備えている。ここで、遊技状態が一般遊技状態である場合には（内部抽籤テーブルが一般遊技状態用内部抽籤テーブルに切り換えられている場合には）、一般遊技状態用内部抽籤テーブル（後述の図６の（１））が選択され、抽籤回数として「７」が決定される。抽籤回数は、内部当籤役を決定するために必要な処理をする回数である。ただし、遊技状態が一般遊技状態であっても、フラグ間である場合には、「７」と決定された抽籤回数が「４」に更新される。これに対し、遊技状態がＲＢ遊技状態である場合には、ＲＢ遊技状態用内部抽籤テーブル（後述の図６の（２））が選択され、抽籤回数として「３」が決定される。
【００８５】
図６を参照して、内部抽籤テーブルについて説明する。
【００８６】
内部抽籤テーブルは、基本的に遊技状態ごとに設けられ、当籤番号に対応する数値範囲の下限値及び上限値の情報を備えている。後に図７を参照して説明するように、この当籤番号は役に対応しているので、内部抽籤テーブルは、予め定められた複数の役のそれぞれに対応する数値範囲の上限値及び下限値の情報を有する。
【００８７】
図６の（１）は、一般遊技状態用内部抽籤テーブルを示し、図６の（２）は、ＲＢ遊技状態用内部抽籤テーブルを示す。
【００８８】
内部抽籤テーブルに基づく当籤番号の決定（抽籤）では、遊技状態ごとに定められた抽籤回数と同じ当籤番号から降順に、当籤番号が０になるまで、乱数値が当籤番号に対応する下限値及び上限値により示される範囲内にあるか否かを判断する。乱数値が下限値及び上限値により示される範囲内にある場合、対応する当籤番号に当籤となる。また、当籤番号に対応する下限値及び上限値により示される範囲内にあるか否かを判断する回数は、図５の内部抽籤テーブル決定テーブルで定められた抽籤回数と同じである。
【００８９】
なお、当籤番号が０になるまで乱数値が一度も下限値及び上限値により示される範囲内になかった場合、当籤番号は０（ハズレ）となる。内部当籤役のハズレは、内部抽籤で遊技者の利益と対応付けられた役に当籤しなかったことを示す。また、実施例におけるハズレは、遊技価値と対応付けられた役ではない。また、内部当籤役としてのハズレに対応する図柄組合せは、予め設けられた複数の役に対応する図柄組合せとは別の任意の図柄組合せであるとも考えることができるが、実施例では、ハズレに対応する図柄組合せは設けられていないものとする。
【００９０】
内部当籤役は、当籤した当籤番号、遊技状態、投入枚数、及び内部当籤役決定テーブル（後述の図７）に基づいて決定される。
【００９１】
例えば、図６の（１）に示す一般遊技状態用内部抽籤テーブルを参照する場合であって、投入枚数が３である場合について説明する。0〜65535の範囲から抽出した乱数値が220である場合、当籤番号７に対応する数値範囲の情報は、下限値が“650”で上限値が“799”であるという数値範囲の情報なので、初めに、当籤番号７について乱数値Ｒ（220）−下限値Ｌ（650）を計算する。この計算結果は負である。したがって、乱数値が当籤番号に対応する数値範囲内（Ｌ≦Ｒ≦Ｕ）にないので、一般遊技状態で抽出した乱数値が220である場合、当籤番号７に不当籤となる。
【００９２】
続いて、当籤番号６に対応する数値範囲の情報に基づいて、乱数値Ｒ（220）−下限値Ｌ（100）を計算する。この計算結果は０以上になる。次に、乱数値Ｒ（220）−上限値Ｕ（249）を計算する。この計算結果は０以下になる。したがって、乱数値が当籤番号に対応する数値範囲内（Ｌ≦Ｒ≦Ｕ）にあるので、一般遊技状態で抽出した乱数値が220である場合、当籤番号６に当籤となる。当籤番号６に当籤となる場合には、後述の内部当籤役決定テーブル（図７）に基づいて、当籤番号６に対応するＢＢ１が内部当籤役となる。
【００９３】
このように、乱数値Ｒ（220）−下限値Ｌの計算及び乱数値Ｒ（220）−上限値Ｕの計算を、当籤番号が０となるまで繰り返すと、当籤番号３では当籤となり、他の当籤番号では不当籤となる。したがって、一般遊技状態で抽出した乱数値が220である場合は、当籤番号３及び６で当籤し、後述の内部当籤役決定テーブル（図７）を参照すると、スイカ及びＢＢ１が内部当籤役となる。
【００９４】
なお、フラグ間の場合には、抽籤回数が４に変更（後述の図１７のステップＳ６３）される。これにより、フラグ間では、当籤番号５〜７に当籤する場合がない。したがって、後述の内部当籤役決定テーブル（図７）によれば、フラグ間では、ＲＢ、ＢＢ１、ＢＢ２が内部当籤役として決定される場合はない。
【００９５】
また、図６の（２）に示すＲＢ遊技状態用内部抽籤テーブルを参照すると、このテーブルは、他の内部抽籤テーブルに比べ、当籤番号２に対応する数値範囲が広くなるように構成されている。言い換えると、ＲＢ遊技状態用内部抽籤テーブルは、他の内部抽籤テーブルに比べ、ベルが高い確率で当籤役として決定されるように構成されている。また、ＲＢ遊技状態用内部抽籤テーブルでは、一般遊技状態用内部抽籤テーブルでの当籤番号４〜７に対応する当籤番号が設けられていない。そのため、ＲＢ遊技状態では、一般遊技状態での当籤番号４〜７に対応するリプレイ、ＲＢ、ＢＢ１、ＢＢ２が当籤役として決定されることがない。
【００９６】
図７を参照して、内部当籤役決定テーブルについて説明する。
【００９７】
内部当籤役決定テーブルは、当籤番号に対応した内部当籤役のデータを備えている。内部当籤役のデータは、１バイト（８ビット）からなるデータであり、内部当籤役を識別するために内部当籤役のそれぞれに対応して設けられている。
【００９８】
例えば、当籤番号が「０」の場合には、内部当籤役のデータとして「００００００００」が決定される。このデータに対応する内部当籤役は、ハズレである。当籤番号が「１」の場合には、内部当籤役のデータとして「０００００００１」が決定される。このデータに対応する内部当籤役は、チェリーである。当籤番号が「２」〜「７」の場合についても同様である。
【００９９】
図８を参照して、図柄組合せテーブルについて説明する。
【０１００】
図柄組合せテーブルは、一の有効ラインにより結ばれる３つの図柄停止位置のそれぞれに停止表示された図柄の組合せに対応する表示役と、表示役に対応する投入枚数ごとの払出枚数の情報を備えている。この図柄組合せテーブルは、全リール３Ｌ，３Ｃ，３Ｒが停止した後、有効ラインに沿って表示された図柄の組合せに応じて払出枚数を決定する場合に参照される。
【０１０１】
前述の当籤番号が１（チェリー）の場合、表示役がチェリーとなる場合がある。表示役がチェリーとなる場合には、５本の有効ラインのうち、センターライン８ｃに沿って“チェリー（中）−ＡＮＹ−ＡＮＹ”が並ぶ中チェリーと、センターラインを除く有効ラインに沿って“チェリー（角）−ＡＮＹ−ＡＮＹ”が並ぶ角チェリーとがある。“チェリー（中）”は、左の表示窓４Ｌの中段に停止表示された“チェリー”を示し、“チェリー（角）”は、左の表示窓４Ｌの上段又は下段に停止表示された“チェリー”を示す。“ＡＮＹ”は、任意の図柄を示す。中チェリーである場合には、図柄組合せテーブルにしたがい、投入枚数が１又は２の場合には、１５枚のメダルが払出され、投入枚数が３の場合には、４枚のメダルが払出される。他方、角チェリーで、投入枚数が１又は２の場合には、図柄組合せテーブルにしたがい、１５枚のメダルが払出されることになるが、角チェリーで投入枚数が３枚の場合には、２本の有効ライン（トップライン８ｂとクロスダウンライン８ｅ、又はボトムライン８ｄとクロスアップライン８ａ）で“チェリー（角）−ＡＮＹ−ＡＮＹ”の図柄組合せが成立しているので、図柄組合せテーブルにしたがい、４枚の２倍である８枚のメダルが払出される。
【０１０２】
有効ラインに沿って“ベル−ベル−ベル”が並ぶと表示役がベルになり、投入枚数が１又は２の場合には、１５枚のメダルが払出され、投入枚数が３の場合には、１０枚のメダルが払出される。有効ラインに沿って“スイカ−スイカ−スイカ”が並ぶと表示役がスイカになり、投入枚数に関わらず８枚のメダルが払出される。有効ラインに沿って“リプレイ−リプレイ−リプレイ”が並ぶと表示役がリプレイになり、メダルが自動投入される。
【０１０３】
有効ラインに沿って“ＢＡＲ−ＢＡＲ−ＢＡＲ”が並ぶと表示役がＲＢになり、ＲＢ作動中フラグがオンになることによりＲＢが作動する。このとき、遊技状態がＲＢ遊技状態に移行する。有効ラインに沿って“赤７−赤７−赤７”が並ぶと表示役がＢＢ１になり、ＢＢ作動中フラグがオンになることにより遊技状態がＲＢ遊技状態に移行する。有効ラインに沿って“青７−青７−青７”が並ぶと表示役がＢＢ２になり、ＢＢ作動中フラグがオンになることにより遊技状態がＲＢ遊技状態に移行する。
【０１０４】
図９を参照して、ボーナス作動時テーブルについて説明する。
【０１０５】
ボーナス作動時テーブルは、表示役ごとに、後述の作動中フラグ、後述のボーナス終了枚数カウンタ、遊技可能回数、及び入賞可能回数の情報を備えている。このボーナス作動時テーブルは、後述の図１５のステップＳ３３の処理、及び後述の図１９のステップＳ１０２の処理において参照される。
【０１０６】
「作動中フラグ」とは、作動している遊技状態（現在の遊技状態）を識別するための情報をいう。実施例の作動中フラグには、ＲＢ遊技状態が作動しているか否かを識別するためのＲＢ作動中フラグと、ＢＢ（役物連続作動装置）が作動しているか否かを識別するためのＢＢ作動中フラグとがある。
【０１０７】
「ボーナス終了枚数カウンタ」とは、ＢＢ作動中フラグがオンに更新されてからＢＢ作動中フラグがオフに更新されるまでの遊技において払出されたメダルの枚数を計数するカウンタをいう。実施例では、ＢＢが作動するとき、まずはボーナス終了枚数カウンタに「３５０」がセットされる。この値は、払出されたメダルの枚数だけ単位遊技ごとに減算される。
【０１０８】
「遊技可能回数」とは、ＲＢ遊技状態において行うことが可能な残りの単位遊技の回数をいう。実施例では、ＲＢが作動するとき、まずは遊技可能回数として「１２」がセットされる。この値は、単位遊技ごとに１ずつ減算される。
【０１０９】
「入賞可能回数」とは、ＲＢ遊技状態において入賞可能な回数、より詳しくは、ＲＢ遊技状態において小役に対応する図柄の組合せが表示されることが可能な残りの単位遊技の回数をいう。実施例では、ＲＢが作動するとき、まずは入賞可能回数として「８」がセットされる。この値は、単位遊技ごとに１ずつ減算される。
【０１１０】
図１０を参照して、内部当籤役及び持越役の格納領域（記憶領域）について説明する。
【０１１１】
図１０の（１）は、内部当籤役格納領域を示す。ビット０は、チェリーに対応する格納領域である。ビット１は、ベルに対応する格納領域である。ビット２は、スイカに対応する格納領域である。ビット３は、リプレイに対応する格納領域である。ビット４は、ＲＢに対応する格納領域である。ビット５は、ＢＢ１に対応する格納領域である。ビット６は、ＢＢ２に対応する格納領域である。ビット７は、未使用の格納領域である。
【０１１２】
なお、表示役のデータが格納される表示役格納領域についての図示は省略するが、内部当籤役格納領域と同様のデータ構造を有している。
【０１１３】
図１０の（２）は、持越役格納領域を示す。ビット４は、ＲＢに対応する格納領域である。ビット５は、ＢＢ１に対応する格納領域である。ビット６は、ＢＢ２に対応する格納領域である。ビット０〜ビット３及びビット７は、未使用の格納領域である。
【０１１４】
図１０の（３）は、遊技状態格納領域を示す。ビット０は、一般遊技状態に対応する格納領域である。ビット１は、ＲＢ遊技状態に対応する格納領域である。ビット２〜ビット７は、未使用の格納領域である。
【０１１５】
図１１を参照して、副制御回路７２のジャンプテーブルについて説明する。
【０１１６】
ジャンプテーブルは、主制御回路７１により送信されたコマンド（情報或いは指令）を受信した場合に、受信したコマンドの種類に応じて行う処理の情報を備えている。具体的には、主制御回路７１により送信されるコマンドの「識別子」に対応して実行する複数種類の処理の情報が格納されている。主制御回路７１は、“４バイト”〜“８バイト”で構成されるデータ（情報）を一のコマンドとして副制御回路７２へ送信するが、「先頭データ」は、その“１バイト目”のデータを示す。
【０１１７】
例えば、遊技メダル投入コマンドを受信した場合、画像制御マイコン８１は、遊技メダル投入コマンド処理を行う。遊技メダル投入コマンド処理は、「ＢＥＴ操作」を契機として行われる処理である。遊技開始コマンドを受信した場合、画像制御マイコン８１は、遊技開始コマンド処理を行う。遊技開始コマンド処理は、スタートレバー６が操作されることを契機として行われる処理である。リール停止コマンドを受信した場合、画像制御マイコン８１は、リール停止コマンド処理を行う。リール停止コマンド処理は、いずれかの停止ボタン７Ｌ，７Ｃ，７Ｒが操作されたことを契機として行われる処理である。
【０１１８】
全リール停止コマンドを受信した場合、画像制御マイコン８１は、全リール停止コマンド処理を行う。全リール停止コマンド処理は、第３停止操作が行われることを契機として行われる処理である。表示役成立コマンドを受信した場合、画像制御マイコン８１は、表示役成立コマンド処理を行う。表示役成立コマンド処理は、表示役の成否などに基づいて行われる処理である。
【０１１９】
遊技状態変更コマンドを受信した場合、画像制御マイコン８１は、遊技状態変更コマンド処理を行う。遊技状態変更処理は、例えば、ボーナスの入賞を契機として、遊技状態の情報を、ＲＢ遊技状態を示すものに変更するための処理である。ボーナス開始コマンドを受信した場合、画像制御マイコン８１は、ボーナス開始コマンド処理を行う。ボーナス開始コマンド処理は、ＢＢが作動するタイミングの報知を実行するための処理である。
【０１２０】
図１２を参照して、内部当籤役がＢＢ１、ＢＢ２又はＲＢであることを告知するタイミングを決定するためのボーナス告知タイミング決定テーブルについて説明する。
【０１２１】
ボーナス告知タイミング決定テーブルは、最大ＢＥＴスイッチ操作回数カウンタの値に対応するボーナス告知演出のタイミングの情報を備えている。「最大ＢＥＴスイッチ操作回数カウンタ」とは、１回の単位遊技で遊技者が最大ＢＥＴスイッチ１３を押下操作した回数を計数するためのカウンタをいい、ワークＲＡＭ８４の所定領域に設けられている。
【０１２２】
例えば、１回の単位遊技で遊技者が最大ＢＥＴスイッチ１３を押下操作した回数が１回以下である場合、最大ＢＥＴスイッチ操作回数カウンタには「１」以下の数値がセットされているので、ボーナス告知演出のタイミングとして「演出なし」が決定される。この場合、内部当籤役がＢＢ１、ＢＢ２又はＲＢであっても、そのことが遊技者に告知されることはない。
【０１２３】
１回の単位遊技で遊技者が最大ＢＥＴスイッチ１３を押下操作した回数が２回である場合、最大ＢＥＴスイッチ操作回数カウンタには「２」がセットされているので、ボーナス告知演出のタイミングとして「スタート操作時」が決定される。この場合、内部当籤役がＢＢ１、ＢＢ２又はＲＢである場合、遊技者がスタートレバー６を操作したことに応じて、内部当籤役がＢＢ１、ＢＢ２又はＲＢであることが遊技者に告知される。
【０１２４】
１回の単位遊技で遊技者が最大ＢＥＴスイッチ１３を押下操作した回数が３回以上である場合、最大ＢＥＴスイッチ操作回数カウンタには「３」以上の数値がセットされているので、ボーナス告知演出のタイミングとして「第３停止操作時」が決定される。この場合、内部当籤役がＢＢ１、ＢＢ２又はＲＢである場合、遊技者が全ての停止ボタン７Ｌ，７Ｃ，７Ｒを操作し、リール３Ｌ，３Ｃ，３Ｒでの図柄の変動が停止したことに応じて、内部当籤役がＢＢ１、ＢＢ２又はＲＢであることが遊技者に告知される。
【０１２５】
図１３及び図１４に示すメインフローチャートを参照して、主制御回路７１の制御動作について説明する。
【０１２６】
初めに、ＣＰＵ３１は、遊技開始時の初期化を行う（ステップＳ１）。このステップＳ１では、ＲＡＭ３３の記憶内容の初期化、通信データの初期化などが行われる。続いてゲーム終了時のＲＡＭ３３の所定の記憶内容を消去し（ステップＳ２）、ステップＳ３に移る。このステップＳ２では、前回のゲームに使用されたＲＡＭ３３の書き込み可能エリアのデータの消去、ＲＡＭ３３の書き込みエリアへの次のゲームに必要なパラメータの書き込み、次のゲームのシーケンスプログラムの開始アドレスの指定などが行われる。
【０１２７】
ステップＳ３では、後述の図１５を参照して説明するボーナス作動監視処理を行い、ステップＳ４に移る。この処理では、ＢＢ作動中フラグがオンである場合には、ＲＢ遊技状態が終了しても続けてＲＢ遊技状態となるようにＲＢ作動中フラグをオンに更新する処理が行われる。ステップＳ４では、後に図１６を参照して説明するメダル投入・スタートチェック処理を行い、ステップＳ５に移る。この処理では、スタートスイッチ６Ｓ、メダルセンサ２２Ｓ、又はＢＥＴスイッチ１１〜１３からの入力に基づいて、ＢＥＴ数の更新などの処理が行われる。
【０１２８】
ステップＳ５では、抽籤用の乱数を抽出し、ステップＳ６に移る。この処理で抽出した乱数は、後に説明する内部抽籤処理において使用される。ステップＳ６では、遊技状態監視処理を行い、ステップＳ７に移る。この処理では、遊技状態移行条件が満たされているか否かを判別し、遊技状態移行条件が満たされていると判別される場合には遊技状態を移行し、遊技状態移行条件が満たされていると判別されない場合には現在の遊技状態を維持する処理が行われる。
【０１２９】
ステップＳ７では、後に図１７を参照して説明する内部抽籤処理を行い、ステップＳ８に移る。ステップＳ８では、遊技開始コマンドを副制御回路７２に送信し、ステップＳ９に移る。この遊技開始コマンドには、遊技状態及び内部当籤役などの情報が含まれる。
【０１３０】
ステップＳ９では、前回のゲームが開始してから４．１秒経過しているか否かを判別する。この判別がＹＥＳのときは、ステップＳ１１に移り、ＮＯのときは、ステップＳ１０に移る。ステップＳ１０では、ゲーム開始待ち時間消化の処理（ウェイト処理）を行い、ステップＳ１１に移る。この処理では、前回のゲームが開始してから４．１秒が経過するまでの間、遊技者のゲームを開始する操作に基づく入力を無効にする処理が行われる。
【０１３１】
ステップＳ１１では、ゲーム監視用タイマをセットし、ステップＳ１２に移る。このゲーム監視用タイマには、遊技者の停止ボタン７Ｌ，７Ｃ，７Ｒの停止操作によらずに自動的にリール３Ｌ，３Ｃ，３Ｒを停止させるための自動停止タイマが含まれる。ステップＳ１２では、全リールの回転開始を要求し、図１４のステップＳ１３に移る。
【０１３２】
図１４のステップＳ１３では、ストップスイッチ（停止スイッチ）が“オン”か否か、すなわちいずれかの停止ボタン７Ｌ，７Ｃ，７Ｒが操作されたかどうかを判別する。この判別がＹＥＳのときは、ステップＳ１５に移り、ＮＯのときは、ステップＳ１４に移る。ステップＳ１４では、自動停止タイマの値が「０」であるか否かを判別する。この判別がＹＥＳのときは、ステップＳ１５に移り、ＮＯのときは、ステップＳ１３に移る。
【０１３３】
ステップＳ１５では、滑り駒数決定処理を行い、ステップＳ１６に移る。この処理では、内部当籤役に対応する停止テーブル（図示せず）を参照して、停止開始位置に対応する停止制御位置から滑り駒数を決定し、セットする。ステップＳ１６では、ステップＳ１５で決定された滑り駒数分、停止操作された停止ボタン７Ｌ，７Ｃ，７Ｒに対応するリール３Ｌ，３Ｃ，３Ｒが回転するのを待ち、ステップＳ１７に移る。
【０１３４】
ステップＳ１７では、リールの回転停止を要求し、ステップＳ１８に移る。ステップＳ１８では、リール停止コマンドを副制御回路７２に送信し、ステップＳ１９に移る。リール停止コマンドには、停止したリール３Ｌ，３Ｃ，３Ｒの停止開始位置の情報と、この停止開始位置に対応する停止制御位置の情報とが含まれる。ステップＳ１９では、全てのリールが停止したか否かを判別する。この判別がＹＥＳのときは、ステップＳ２０に移り、ＮＯのときは、ステップＳ１３に移る。
【０１３５】
ステップＳ２０では、全リール停止コマンドを副制御回路７２に送信し、ステップＳ２１に移る。ステップＳ２１では、表示役検索処理を行い、ステップＳ２２に移る。表示役検索処理では、表示窓４Ｌ，４Ｃ，４Ｒでの図柄の停止態様に基づいて表示役（成立役）を識別するためのフラグをセットする処理が行われる。
【０１３６】
ステップＳ２２では、表示役成立コマンドを副制御回路７２に送信し、ステップＳ２３に移る。表示役成立コマンドには、成立した表示役の情報が含まれる。ステップＳ２３では、メダル払出処理を行い、ステップＳ２４に移る。この処理では、表示役検索処理でセットされたフラグに基づき、図柄組合せテーブル（図８）を参照して、対応する払出枚数のメダルの貯留（クレジット）又は払出しを行う。
【０１３７】
ステップＳ２４では、払出枚数に基づいてボーナス終了枚数カウンタを更新し、ステップＳ２５に移る。この処理では、ボーナス終了枚数カウンタが１以上である場合には、メダルの払出枚数に応じて当該カウンタを減算する処理を行う。
【０１３８】
ステップＳ２５では、ＲＢ作動中フラグ又はＢＢ作動中フラグがオンか否かを判別する。この判別がＹＥＳのときは、ステップＳ２６に移り、ＮＯのときは、ステップＳ２７に移る。ステップＳ２６では、後に図１８を参照して説明するボーナス終了チェック処理を行い、ステップＳ２７に移る。ステップＳ２７では、後に図１９を参照して説明するボーナス作動チェック処理を行い、図１３のステップＳ２に移る。
【０１３９】
図１５を参照して、ボーナス作動監視処理について説明する。
【０１４０】
初めに、ＣＰＵ３１は、ＢＢ作動中フラグがオンか否かを判別する（ステップＳ３１）。この判別がＹＥＳのときは、ステップＳ３２に移り、ＮＯのときは、図１３のステップＳ４に移る。ステップＳ３２では、ＲＢ作動中フラグがオンか否かを判別する。この判別がＹＥＳのときは、図１３のステップＳ４に移り、ＮＯのときは、ステップＳ３３に移る。
【０１４１】
ステップＳ３３では、ボーナス作動時テーブル（図９）に基づいてＲＢ作動時処理を行い、図１３のステップＳ４に移る。この処理では、ＲＢ作動中フラグをオンに更新する処理が行われる。そして、遊技可能回数を１２にセットし、入賞可能回数を８にセットする処理が行われる。
【０１４２】
これらステップＳ３１〜ステップＳ３３の処理を行うことにより、ＢＢ作動中フラグがオンである場合には、ＲＢ作動中フラグをオフに更新する条件が満たされＲＢ作動中フラグがオフに更新された場合であっても、このＲＢ作動中フラグを再びオンに更新し、ＲＢ遊技状態を連続して作動させることができる。
【０１４３】
図１６を参照して、メダル投入・スタートチェック処理について説明する。
【０１４４】
初めに、ＣＰＵ３１は、自動投入カウンタが「０」であるか否かを判別する（ステップＳ４１）。自動投入カウンタは、ＲＡＭ３３の所定領域に設けられ、自動投入カウンタには、前回のゲームでリプレイが入賞した場合、そのゲームでのＢＥＴ数が複写される。また、前回のゲームでリプレイが入賞していない場合、「０」がセットされる。この判別がＹＥＳのときは、ステップＳ４４に移り、この判別がＮＯのときは、ステップＳ４２に移る。
【０１４５】
ステップＳ４２では、メダル投入処理を行い、ステップＳ４３に移る。このメダル投入処理では、自動投入カウンタにセットされた数値を投入枚数カウンタにセットする処理を行う。投入枚数カウンタは、ＲＡＭ３３の所定領域に設けられている。ステップＳ４３では、自動投入カウンタをクリアし、ステップＳ４５に移る。
【０１４６】
ステップＳ４４では、メダル受付許可処理を行い、ステップＳ４５に移る。この処理では、予めＲＡＭ３３の所定領域に設けられた、メダル投入許可フラグ、精算許可フラグ、クレジットからのメダル投入フラグをオンにセットする処理を行う。
【０１４７】
ここで、メダル投入許可フラグは、メダルの投入（ＢＥＴ）が許可されている状態であるか否かを特定するための情報である。メダルの投入（ＢＥＴ）は、メダル投入口２２にメダルを投入すること、又は、ＢＥＴスイッチ１１がオンされることにより行われる。メダルの投入が行われると、投入されたメダル枚数に基づいて投入枚数カウンタの値が加算される。
【０１４８】
精算許可フラグは、ＢＥＴされたメダル枚数及びクレジットされているメダル枚数の精算が許可されている状態であるか否かを特定するための情報である。精算は、Ｃ／Ｐスイッチ１４がオンされることにより行われる。精算が行われると、ＢＥＴされたメダル枚数及びクレジットされているメダル枚数がメダル払出口１５に払出される。
【０１４９】
クレジットからのメダル投入フラグは、クレジットされているメダル枚数からＢＥＴを行っている状態であるか否かを特定するための情報である。クレジットからのメダル投入は、クレジットされているメダル枚数が「０」以外の場合に、ＢＥＴスイッチ１１がオンされることにより行われる。
【０１５０】
ステップＳ４５では、クレジットカウンタ、投入枚数カウンタが共に「０」であるか否かを判別する。クレジットカウンタは、クレジットされているメダル枚数（「０」〜「５０」の範囲）を特定するためのものである。投入枚数カウンタは、１回の遊技に投入（ＢＥＴ）されたメダル枚数を特定するためのものである。この判別がＹＥＳのときは、ステップＳ４７に移り、ＮＯのときは、ステップＳ４６に移る。
【０１５１】
ステップＳ４６では、Ｃ／Ｐスイッチチェック処理を行い、ステップＳ４７に移る。このＣ／Ｐスイッチチェック処理では、Ｃ／Ｐスイッチ１４がオンされたことにより、ＢＥＴされたメダル枚数、クレジットされたメダル枚数に基づく枚数のメダルを払出す処理を行う。
【０１５２】
ステップＳ４７では、メダル投入許可フラグはオンであるか否かを判別する。この判別がＹＥＳのときは、ステップＳ４８に移り、ＮＯのときは、ステップＳ５４に移る。ステップＳ４８では、メダルセンサ２２Ｓ及びＢＥＴスイッチ１１〜１３のチェックを行い、ステップＳ４９に移る。ステップＳ４９では、ステップＳ４８の処理でメダルセンサ２２Ｓ又はＢＥＴスイッチ１１〜１３のいずれかを検出したか否かを判別する。この判別がＹＥＳのときは、ステップＳ５０に移り、ＮＯのときは、ステップＳ４５に移る。
【０１５３】
ステップＳ５０では、投入枚数カウンタが「３」であるか否かを判別する。この判別がＹＥＳのときは、ステップＳ５２に移り、ＮＯのときは、ステップＳ５１に移る。ステップＳ５１では、投入枚数カウンタ、クレジットカウンタ更新処理を行い、ステップＳ５３に移る。この処理では、メダルセンサ２２Ｓを検出した場合には、投入枚数カウンタに「１」を加算する。１−ＢＥＴスイッチ１１を検出した場合には、投入枚数カウンタに「１」を加算し、クレジットカウンタを「１」減算する。２−ＢＥＴスイッチ１２を検出した場合には、投入枚数カウンタに「２」を加算し、クレジットカウンタを「２」減算する。最大ＢＥＴスイッチ１３を検出した場合には、投入枚数カウンタに「３」を加算し、クレジットカウンタを「３」減算する。
【０１５４】
ステップＳ５２では、クレジットカウンタ更新処理を行い、ステップＳ５３に移る。この処理では、メダルセンサ２２Ｓを検出した場合には、クレジットカウンタに「１」を加算する。ＢＥＴスイッチ１１〜１３を検出した場合には、その検出によりクレジットカウンタを更新するための信号が生成されることを禁止する。
【０１５５】
ステップＳ５３では、遊技メダル投入コマンドを副制御回路７２に送信し、ステップＳ５４に移る。この遊技メダル投入コマンドには、ステップＳ４８及びステップＳ４９の処理で検出したスイッチの種類についての情報が含まれる。ステップＳ５４では、スタートスイッチ６Ｓがオンであるか否かを判別する。この判別がＹＥＳのときは、ステップＳ５５に移り、ＮＯのときは、ステップＳ４５に移る。
【０１５６】
ステップＳ５５では、メダル受付を禁止し、図１３のステップＳ５に移る。具体的には、図示しないメダルロックアウトソレノイドをオフの状態にする（例えば励磁を停止する）。これにより、スタートスイッチ６Ｓがオンされて遊技が開始された場合、メダル投入口２２から投入されたメダルは、メダル払出口１５から払い出される。
【０１５７】
図１７を参照して、内部抽籤処理について説明する。
【０１５８】
初めに、ＣＰＵ３１は、内部抽籤テーブル決定テーブル（図５）を参照し、遊技状態に応じた内部抽籤テーブル（図６）の種別及び抽籤回数を決定し（ステップＳ６１）、ステップＳ６２に移る。ステップＳ６２では、持越役格納領域に格納されたデータ（情報）が「０」であるか否か（持越役の有無）を判別する。この判別がＹＥＳのときは、ステップＳ６４に移り、ＮＯのときは、ステップＳ６３に移る。ここで、ステップＳ６２の判別がＮＯとなる場合は、フラグ間の場合であり、ＹＥＳとなる場合は、非フラグ間の場合である。セットしている内部抽籤テーブルが一般遊技状態用内部抽籤テーブルである場合、フラグ間である場合と非フラグ間である場合とがあるので、ＹＥＳと判別される場合と、ＮＯと判別される場合との両方がある。セットしている内部抽籤テーブルがＲＢ遊技状態用内部抽籤テーブルである場合、必ず非フラグ間であるため、ステップＳ６２の処理では必ずＹＥＳと判別される。ステップＳ６３では、抽籤回数を「４」に変更（更新）し、ステップＳ６４に移る。
【０１５９】
ステップＳ６４では、抽籤回数と同じ値を当籤番号としてセットし、ステップＳ６５に移る。これにより、一般遊技状態（非フラグ間）では「７」、一般遊技状態（フラグ間）では「４」、ＲＢ遊技状態では「３」が当籤番号としてセットされる。
【０１６０】
ステップＳ６５では、ステップＳ６１で決定された内部抽籤テーブルを参照し、格納されている乱数値と当籤番号及び格納されている設定に応じた下限値（Ｌ）及び上限値（Ｕ）とを比較し、ステップＳ６６に移る。ステップＳ６６では、格納されている乱数値が下限値以上かつ上限値以下であるか否かを判別する。この判別がＹＥＳのときは、ステップＳ６７に移り、ＮＯのときは、ステップＳ６９に移る。
【０１６１】
ステップＳ６７では、内部当籤役決定テーブル（図７）を参照し、当籤番号に基づいて内部当籤役を決定し、ステップＳ６８に移る。ステップＳ６８では、決定した内部当籤役のデータを内部当籤役格納領域に格納し、ステップＳ６９に移る。
【０１６２】
ステップＳ６９では、抽籤回数を「１」減算し、ステップＳ７０に移る。ステップＳ７０では、抽籤回数が「０」か否かを判別する。この判別がＹＥＳのときは、ステップＳ７１に移り、ＮＯのときは、ステップＳ６４に移る。
【０１６３】
ステップＳ７１では、内部当籤役格納領域のデータとボーナスチェックデータとの論理積をとり、この論理積と持越役格納領域のデータとの論理和を持越役格納領域に格納し、ステップＳ７２に移る。なお、本実施例でのボーナスチェックデータは「０１１１００００」である。ステップＳ７２では、内部当籤役格納領域のデータと持越役格納領域のデータとの論理和を内部当籤役格納領域に格納し、図１３のステップＳ８に移る。
【０１６４】
図１８を参照して、ボーナス終了チェック処理について説明する。
【０１６５】
初めに、ＣＰＵ３１は、入賞が成立したか否かを判別する（ステップＳ８１）。この判別がＹＥＳのときは、ステップＳ８２に移り、ＮＯのときは、ステップＳ８９に移る。ステップＳ８２では、ＢＢ作動中フラグがオンか否かを判別する。この判別がＹＥＳのときは、ステップＳ８３に移り、ＮＯのときは、ステップＳ８７に移る。ステップＳ８３では、ボーナス終了枚数カウンタが「０」であるか否かを判別する。この判別がＹＥＳのときは、ステップＳ８４に移り、ＮＯのときは、ステップＳ８７に移る。
【０１６６】
ステップＳ８４では、遊技状態変更コマンドを副制御回路７２に送信し、ステップＳ８５に移る。ステップＳ８５では、ＲＢ終了時処理を行い、ステップＳ８６に移る。このＲＢ終了時処理では、ＲＢ作動中フラグをオフに更新し、入賞可能回数及び遊技可能回数を０に更新する処理などを行う。ステップＳ８６では、ＢＢ終了時処理を行い、図１４のステップＳ２７に移る。このＢＢ終了時処理では、ＢＢ作動中フラグをオフに更新し、ボーナス終了枚数カウンタを「０」に更新する処理などを行う。
【０１６７】
ステップＳ８７では、入賞可能回数を「１」減算し、ステップＳ８８に移る。ステップＳ８８では、入賞可能回数が「０」か否かを判別する。この判別がＹＥＳのときは、ステップＳ９１に移り、ＮＯのときは、ステップＳ８９に移る。ステップＳ８９では、遊技可能回数を「１」減算し、ステップＳ９０に移る。ステップＳ９０では、遊技可能回数が「０」か否かを判別する。この判別がＹＥＳのときは、ステップＳ９１に移り、ＮＯのときは、図１４のステップＳ２７に移る。ステップＳ９１では、ＲＢ終了時処理を行い、図１４のステップＳ２７に移る。
【０１６８】
図１９を参照して、ボーナス作動チェック処理について説明する。
【０１６９】
初めに、ＣＰＵ３１は、表示役がボーナスであるか否か、すなわち表示役がＲＢ、ＢＢ１、又はＢＢ２のいずれかであるか否かを判別する（ステップＳ１０１）。この判別がＹＥＳのときは、ステップＳ１０２に移り、ＮＯのときは、ステップＳ１０５に移る。ステップＳ１０２では、ボーナス作動時テーブル（図９）に基づいてボーナス作動時処理を行い、ステップＳ１０３に移る。このボーナス作動時処理では、表示役がＲＢである場合には、ＲＢ作動中フラグをオンに更新し、遊技可能回数を「１２」にセットし、入賞可能回数を「８」にセットする処理を行う。また、表示役がＢＢ１又はＢＢ２である場合には、ＢＢ作動中フラグをオンに更新し、ボーナス終了枚数カウンタを「３５０」にセットする処理を行う。
【０１７０】
ステップＳ１０３では、持越役格納領域をクリアする処理、すなわち、持越役格納領域に格納されているデータを「０」に更新する処理を行い、ステップＳ１０４に移る。ステップＳ１０４では、ボーナス開始コマンドを副制御回路７２に送信し、図１３のステップＳ２に移る。
【０１７１】
ステップＳ１０５では、表示役がリプレイであるか否かを判別する。この判別がＹＥＳのときは、ステップＳ１０６に移り、ＮＯのときは、図１３のステップＳ２に移る。ステップＳ１０６では、投入枚数カウンタを自動投入カウンタに複写する処理、すなわち、今回のゲームのために投入された投入枚数と同じ数値を自動投入カウンタにセットする処理を行い、図１３のステップＳ２に移る。
【０１７２】
図２０〜図２７に示すフローチャートを参照して、画像制御回路（ｇＳｕｂ）７２ａの制御動作について説明する。
【０１７３】
図２０を参照して、画像制御回路７２ａのリセット割込処理について説明する。
【０１７４】
電源が投入され、リセット端子に電圧が印加されると、画像制御マイコン８１がリセット割込を発生させる。リセット割込処理は、この割込が発生したことに基づいて順次実行される。
【０１７５】
初めに、画像制御マイコン８１は、ワークＲＡＭ８４、制御ＲＡＭ８７、ビデオＲＡＭ８９などの初期化を行い（ステップＳ１１１）、ステップＳ１１２に移る。ステップＳ１１２では、入力監視処理を行い、ステップＳ１１３に移る。この処理では、コマンドバッファ（主制御回路７１から送信されたコマンドを格納する記憶領域）にデータがあるか否かを判別することにより、コマンドを受信したか否かを判別する処理が行われる。
【０１７６】
ステップＳ１１３では、後に図２１を参照して説明するコマンド入力処理を行い、ステップＳ１１４に移る。ステップＳ１１４では、音・ランプ制御回路（ｍＳｕｂ）７２ｂへコマンドを出力するためのコマンド出力処理を行い、ステップＳ１１５に移る。ステップＳ１１５では、後に図２５を参照して説明する画像制御処理を行い、ステップＳ１１１に移る。
【０１７７】
図２１を参照して、コマンド入力処理について説明する。
【０１７８】
初めに、画像制御マイコン８１は、コマンドバッファにデータがあるか否か、すなわちコマンドを受信したか否かを判別する（ステップＳ１２１）。ステップＳ１２１の判別がＹＥＳのときは、ステップＳ１２２に移り、ＮＯのときは、図２０のステップＳ１１４に移る。
【０１７９】
ステップＳ１２２では、受信したコマンドが遊技メダル投入コマンドであるか否かを判別する。この判別がＹＥＳのときは、ステップＳ１２３に移り、ＮＯのときは、ステップＳ１２４に移る。ステップＳ１２３では、後に図２２を参照して説明する遊技メダル投入コマンド処理を行い、ステップＳ１２９に移る。
【０１８０】
ステップＳ１２４では、受信したコマンドが遊技開始コマンドであるか否かを判別する。この判別がＹＥＳのときは、ステップＳ１２５に移り、ＮＯのときは、ステップＳ１２６に移る。ステップＳ１２５では、後に図２３を参照して説明する遊技開始コマンド処理を行い、ステップＳ１２９に移る。
【０１８１】
ステップＳ１２６では、受信したコマンドが全リール停止コマンドであるか否かを判別する。この判別がＹＥＳのときは、ステップＳ１２７に移り、ＮＯのときは、ステップＳ１２８に移る。ステップＳ１２７では、後に図２４を参照して説明する全リール停止コマンド処理を行い、ステップＳ１２８に移る。
【０１８２】
ステップＳ１２８では、受信したコマンドに応じた処理を行い、ステップＳ１２９に移る。ステップＳ１２９では、コマンドバッファに格納されているデータを消去し、図２０のステップＳ１１４に移る。
【０１８３】
図２２を参照して、遊技メダル投入コマンド処理について説明する。
【０１８４】
初めに、画像制御マイコン８１は、遊技メダル投入コマンドに含まれる情報に基づいて、メダル投入・スタートチェック処理（図１６）で検出したスイッチが最大ＢＥＴスイッチ１３であるか否かを判別する（ステップＳ１３１）。この判別がＹＥＳのときは、ステップＳ１３２に移り、ＮＯのときは、図２１のステップＳ１２９に移る。ステップＳ１３２では、最大ＢＥＴスイッチ操作回数カウンタに「１」を加算し、図２１のステップＳ１２９に移る。「最大ＢＥＴスイッチ操作回数カウンタ」とは、１回の単位遊技で遊技者が最大ＢＥＴスイッチ１３を押下操作した回数を計数するためのカウンタをいい、ワークＲＡＭ８４の所定領域に設けられている。
【０１８５】
図２３を参照して、遊技開始コマンド処理について説明する。
【０１８６】
初めに、画像制御マイコン８１は、内部当籤役がＢＢ１、ＢＢ２又はＲＢのいずれかであるか否かを判別する（ステップＳ１４１）。この判別がＹＥＳのときは、ステップＳ１４２に移り、ＮＯのときは、図２１のステップＳ１２９に移る。ステップＳ１４２では、ボーナス告知タイミング決定テーブル（図１２）を参照し、最大ＢＥＴスイッチ操作回数カウンタの値に基づいてボーナス告知演出のタイミングを決定し、ステップＳ１４３に移る。ステップＳ１４３では、告知タイミング決定フラグをオンにセットし、ステップＳ１４４に移る。
【０１８７】
ステップＳ１４４では、ステップＳ１４２の処理で決定したタイミングが「スタート操作時」であるか否かを判別する。この判別がＹＥＳのときは、ステップＳ１４５に移り、ＮＯのときは、図２１のステップＳ１２９に移る。ステップＳ１４５では、ボーナス告知演出データをセットし、ステップＳ１４６に移る。この処理により、ボーナスに内部当籤したことを告知する演出を、スタート操作時に行うことができる。ステップＳ１４６では、告知タイミング決定フラグをオフにセットし、図２１のステップＳ１２９に移る。
【０１８８】
図２４を参照して、全リール停止コマンド処理について説明する。
【０１８９】
初めに、画像制御マイコン８１は、告知タイミング決定フラグがオンであるか否かを判別する（ステップＳ１５１）。この判別がＹＥＳのときは、ステップＳ１５２に移り、ＮＯのときは、図２１のステップＳ１２９に移る。ステップＳ１５２では、図２３のステップＳ１４２の処理で決定したタイミングが「第３停止操作時」であるか否かを判別する。この判別がＹＥＳのときは、ステップＳ１５３に移り、ＮＯのときは、図２１のステップＳ１２９に移る。
【０１９０】
ステップＳ１５３では、ボーナス告知演出データをセットし、ステップＳ１５４に移る。この処理により、ボーナスに内部当籤したことを告知する演出を、第３停止操作時に行うことができる。ステップＳ１５４では、告知タイミング決定フラグをオフにセットし、図２１のステップＳ１２９に移る。
【０１９１】
図２５を参照して、画像制御処理について説明する。
【０１９２】
初めに、画像制御マイコン８１は、画像バッファフラグがオンであるか否かを判別する（ステップＳ１６１）。「画像バッファフラグ」とは、画像制御ＩＣ８６の制御ＲＡＭ８７に画像データを書き込む準備ができているか否かを判別するためのものである。この画像バッファフラグは、書き込む準備ができている場合にはオンにセットされ、書き込む準備ができていない場合にはオフにセットされる。この判別がＹＥＳのときは、ステップＳ１６４に移り、ＮＯのときは、ステップＳ１６２に移る。
【０１９３】
ステップＳ１６２では、画像データ更新処理を行い、ステップＳ１６３に移る。この画像データ更新処理では、制御ＲＡＭ８７に展開されているスプライト属性テーブルに当てはめるべきデータの内容を特定し、特定したデータを画像バッファに移す処理が行われる。ステップＳ１６３では、画像バッファフラグをオンに更新し、ステップＳ１６４に移る。
【０１９４】
ステップＳ１６４では、画像制御ＩＣカウンタの値が「２」であるか否かを判別する。この判別がＹＥＳのときは、ステップＳ１６５に移り、ＮＯのときは、図２０のステップＳ１１１に移る。画像制御ＩＣカウンタの取り得る値は、「０」、「１」、「２」のいずれかであり、この値の更新は、後に図２６を参照して説明する画像制御ＩＣ／ｉｎｔ処理で行われる。画像制御ＩＣ／ｉｎｔ処理では、画像制御ＩＣ８６から１０００／６０ｍｓごとに送信される信号の受信に応じて、画像制御ＩＣカウンタの値に１を加算する処理が行われる。ステップＳ１６５では、画像制御ＩＣカウンタに「０」をセットし、ステップＳ１６６に移る。
【０１９５】
これらステップＳ１６４及びステップＳ１６５の処理によると、画像制御ＩＣカウンタの値が「２」になるのは、１０００／３０ｍｓが経過するごとである。したがって、ステップＳ１６４の処理により１０００／３０ｍｓが経過したか否かを判別することができ、この１０００／３０ｍｓが経過したときを、バッファフラグがオンである場合に画像データを画像制御ＩＣ８６に送信するタイミングとすることができる。
【０１９６】
ステップＳ１６６では、画像制御ＩＣにバンク切替コマンドを送信し、ステップＳ１６７に移る。ステップＳ１６７では、画像バッファから制御ＲＡＭ８７に画像データを移し、ステップＳ１６８に移る。この処理により、前述のステップＳ１６２で画像バッファに移した画像データを、制御ＲＡＭ８７に展開されたスプライト属性テーブルに移すことができる。
【０１９７】
ステップＳ１６８では、画像バッファをクリアし、ステップＳ１６９に移る。ステップＳ１６９では、画像バッファフラグをオフに更新し、図２０のステップＳ１１１に移る。
【０１９８】
図２６を参照して、画像制御ＩＣ／ｉｎｔ処理について説明する。
【０１９９】
この画像制御ＩＣ／ｉｎｔ処理は、画像制御ＩＣ８６から１０００／６０ｍｓごとに送信されてくる信号の受信に応じて開始する。処理の開始とともに画像制御ＩＣカウンタの値に「１」を加算する（ステップＳ１７１）。画像制御ＩＣカウンタは、前回、画像制御マイコン８１から画像制御ＩＣ８６にバンク切替コマンドを送信したタイミングから１０００／３０ｍｓが経過したか否かを判別するために使用されるカウンタである。
【０２００】
図２７を参照して、２ｍｓ割込処理について説明する。
【０２０１】
初めに、画像制御マイコン８１は、２ｍｓが経過したか否かを判別する（ステップＳ１８１）。この判別がＹＥＳのときは、ステップＳ１８２に移り、ＮＯのときは、ステップＳ１８１を繰り返す。
【０２０２】
ステップＳ１８２では、乱数カウンタを更新し、ステップＳ１８３に移る。ステップＳ１８３では、演出データ更新処理を行い、ステップＳ１８１に移る。この演出データ更新処理により、ボーナス告知演出データに基づいて、ボーナスに内部当籤したことを告知する映像（画像）を液晶表示装置１３１に表示することができる。
【０２０３】
図２８〜図３０を参照して、内部当籤役がＢＢ１である場合の液晶表示部５ａでの表示例について説明する。図２８は、内部当籤役がＢＢ１であり、１回の単位遊技で最大ＢＥＴスイッチ１３を１回操作したときの液晶表示部５ａでの表示例であり、図２９は、内部当籤役がＢＢ１であり、１回の単位遊技で最大ＢＥＴスイッチ１３を２回操作したときの液晶表示部５ａでの表示例である。また、図３０は、内部当籤役がＢＢ１であり、１回の単位遊技で最大ＢＥＴスイッチ１３を３回操作したときの液晶表示部５ａでの表示例である。
【０２０４】
まず、図２８の表示例について説明する。図２８の（１）は、スタート操作時の表示例である。遊技者がスタートレバー６を操作すると、画像制御マイコン８１は、ボーナス告知タイミング決定テーブル（図１２）を参照し、ボーナス告知演出のタイミングを決定する。実施例では、最大ＢＥＴスイッチ１３を操作した回数が１回である場合、ボーナス告知演出のタイミングを「演出なし」と決定する。したがって、液晶表示部５ａでは、スタート操作に応じて、河原に花火台２００が置かれている様子を表示する。
【０２０５】
また、図２８の（２）は、第３停止操作時の表示例である。この表示例においても、河原に花火台２００が置かれている様子が表示され、実際に花火が打ち上げられる様子は表示されない。
【０２０６】
遊技者にとってみれば、実際に花火が花火台２００から打ち上げられる様子が表示されないので、ＢＢ１が内部当籤役として決定されているにも関わらず、ＢＢ１が内部当籤役であることを把握できない。
【０２０７】
次に、図２９の表示例について説明する。図２９の（１）は、スタート操作時の表示例である。遊技者がスタートレバー６を操作すると、画像制御マイコン８１は、ボーナス告知タイミング決定テーブル（図１２）を参照し、ボーナス告知演出のタイミングを決定する。実施例では、最大ＢＥＴスイッチ１３を操作した回数が２回である場合、ボーナス告知演出のタイミングを「スタート操作時」と決定する。したがって、液晶表示部５ａでは、スタート操作に応じて、Ｖ字花火が打ち上がり、それを主人公キャラクタ２０１と女性キャラクタ２０２とが見上げ、親方キャラクタ２０３が喜ぶ様子が表示される。
【０２０８】
また、図２９の（２）は、第３停止操作時の表示例である。この表示例においても、Ｖ字花火が打ち上がる様子が表示される。
【０２０９】
遊技者にとってみれば、液晶表示部５ａでＶ字花火が打ち上がることにより、ボーナスが内部当籤役であることに対する期待感を高めることができる。
【０２１０】
次に、図３０の表示例について説明する。図３０の（１）は、スタート操作時の表示例である。遊技者がスタートレバー６を操作すると、画像制御マイコン８１は、ボーナス告知タイミング決定テーブル（図１２）を参照し、ボーナス告知演出のタイミングを決定する。実施例では、最大ＢＥＴスイッチ１３を操作した回数が３回である場合、ボーナス告知演出のタイミングを「第３停止操作時」と決定する。したがって、液晶表示部５ａでは、スタート操作に応じて、Ｖ字花火が打ち上がる様子とは異なり、河原に花火台２００が置かれている様子を表示する。
【０２１１】
また、図３０の（２）は、第３停止操作時の表示例である。この表示例では、Ｖ字花火が打ち上がり、それを主人公キャラクタ２０１と女性キャラクタ２０２とが見上げ、親方キャラクタ２０３が喜ぶ様子が表示される。
【０２１２】
遊技者にとってみれば、液晶表示部５ａでＶ字花火が打ち上がることにより、ボーナスが内部当籤役であることに対する期待感を高めることができる。
【０２１３】
実施例によれば、予めメダル投入口２２を通じて投入し、クレジットカウンタにセットしたメダルのうち３枚を投入枚数カウンタにセットするために最大ＢＥＴスイッチ１３が設けられ、副制御回路７２は、遊技に関する情報を報知するタイミングとして予め定めた複数のタイミングのうち、１回の単位遊技で最大ＢＥＴスイッチ１３を操作した回数に基づいて一のタイミングを決定する。そして、液晶表示部５ａでは、副制御回路７２により決定されたタイミングで遊技に関する情報を報知する。このようにすることで、遊技に関する情報を報知するタイミングを遊技者自身によって任意に変化させることが可能な遊技機を提供することができる。
【０２１４】
また、最大ＢＥＴスイッチ１３は、一般的な遊技機に設けられている構成である。そのため、遊技に関する情報を報知するタイミングを決定するために新たな操作部を設ける必要がない。したがって、該情報を報知するタイミングを決定するための操作部を備えた筐体を新規に製造することなく、従来の筐体の内部に設けられた制御基板を交換するだけでよいため、上述の効果が得られる遊技機を低コストで簡易に提供することができる。
【０２１５】
また、スタートレバー６の操作回数や停止ボタン７Ｌ，７Ｃ，７Ｒの操作回数ではなく、最大ＢＥＴスイッチ１３の操作回数に基づいて遊技に関する情報を報知するタイミングを変化させるようにしている。そのため、単位遊技の開始前に遊技に関する情報を報知するタイミングを設定できるので、該設定を落ち着いて行うことができる。
【０２１６】
また、１−ＢＥＴスイッチ１１や２−ＢＥＴスイッチ１２の操作回数ではなく、１回の単位遊技で投入枚数カウンタに加算、セットすることが可能な最大枚数を加算、セットするために設けられた最大ＢＥＴスイッチ１３の操作回数に基づいて遊技に関する情報を報知するタイミングを決定するようにしている。したがって、１回の単位遊技あたりに投入枚数カウンタに加算、セットするメダルの数量を変えることなく上述の効果が得られる遊技機を提供することができる。
【０２１７】
以上、実施例について説明したが、本発明はこれに限られるものではない。
【０２１８】
実施例では、ボーナスに内部当籤したときに、最大ＢＥＴスイッチ１３を押下操作した回数によって告知タイミングを変えることについて説明したが、これに限られるものではない。例えば、最大ＢＥＴスイッチ１３を押下操作した回数によって、内部当籤役を報知する区間としてのアシストタイム（ＡＴ）であるか否かを告知するタイミングを変えるようにしてもよい。また、複数回の単位遊技にわたって連続した演出を行う連続演出の最後の単位遊技時に、最大ＢＥＴスイッチ１３を押下操作した回数によって告知タイミングを変えるようにしてもよい。
【０２１９】
また、告知タイミングを変える手段は、最大ＢＥＴスイッチ１３を押下操作した回数に限られるものではない。例えば、一の単位遊技で１−ＢＥＴスイッチ１１を操作したか、２−ＢＥＴスイッチ１２を操作したか、最大ＢＥＴスイッチ１３を操作したか、又はメダル投入口２２を通じてメダルを直接投入したかによって告知タイミングを変えるようにしてもよい。
【０２２０】
また、告知タイミングは、「演出なし」、「スタート操作時」、「第３停止操作時」に限られるものではなく、「第１停止操作時」、「第２停止操作時」になどに行うようにしてもよい。
【０２２１】
また、実施例では、ボーナスに内部当籤したことを、液晶表示部５ａを用いて報知するようにしているが、これに限られるものではなく、音、ランプ、ＬＥＤを用いて報知するようにしてもよいし、複数種類の装置を組合せるようにしてもよい。
【０２２２】
実施例では、役に対応する数値範囲を連続した値とする内部抽籤テーブルを設けているが、これに限られるものではない。例えば、役に対応する数値範囲を連続しない複数の値を含むものとする内部抽籤テーブルを設けるようにしてもよい。
【０２２３】
また、実施例のような遊技機１の他、パチロットなどの他の遊技機にも本発明を適用できる。さらに、前述の遊技機１での動作を家庭用ゲーム機用や携帯端末用（携帯電話機用、携帯型ゲーム機用など）として擬似的に実行するようなゲームプログラムにおいても、本発明を適用してゲームを実行することができる。その場合、ゲームプログラムを記録する記録媒体は、ＤＶＤ−ＲＯＭ、ＣＤ−ＲＯＭ、ＦＤ（フレキシブルディスク）、その他任意の記録媒体を利用できる。
【図面の簡単な説明】
【０２２４】
【図１】遊技機の外観を示す斜視図。
【図２】リール上に配列された図柄の例を示す図。
【図３】電気回路の構成を示すブロック図。
【図４】副制御回路の構成を示す図。
【図５】内部抽籤テーブル決定テーブルを示す図。
【図６】内部抽籤テーブルを示す図。
【図７】内部当籤役決定テーブルを示す図。
【図８】図柄組合せテーブルを示す図。
【図９】ボーナス作動時テーブルを示す図。
【図１０】内部当籤役格納領域、持越役格納領域、及び遊技状態格納領域を示す図。
【図１１】ジャンプテーブルを示す図。
【図１２】ボーナス告知タイミング決定テーブルを示す図。
【図１３】主制御回路のメインフローチャート。
【図１４】図１３に続くフローチャート。
【図１５】ボーナス作動監視処理を示すフローチャート。
【図１６】メダル投入・スタートチェック処理を示すフローチャート。
【図１７】内部抽籤処理を示すフローチャート。
【図１８】ボーナス終了チェック処理を示すフローチャート。
【図１９】ボーナス作動チェック処理を示すフローチャート。
【図２０】副制御回路のリセット割込処理を示すフローチャート。
【図２１】副制御回路のコマンド入力処理を示すフローチャート。
【図２２】副制御回路の遊技メダル投入コマンド処理を示すフローチャート。
【図２３】副制御回路の遊技開始コマンド処理を示すフローチャート。
【図２４】副制御回路の全リール停止コマンド処理を示すフローチャート。
【図２５】副制御回路の画像制御処理を示すフローチャート。
【図２６】副制御回路の画像制御ＩＣ／ｉｎｔ処理を示すフローチャート。
【図２７】２ｍｓ割込処理を示すフローチャート。
【図２８】液晶表示部での表示例を示す図。
【図２９】液晶表示部での表示例を示す図。
【図３０】液晶表示部での表示例を示す図。
【符号の説明】
【０２２５】
１    遊技機
２    前面ドア
３Ｌ，３Ｃ，３Ｒ    リール
６    スタートレバー
７Ｌ，７Ｃ，７Ｒ    停止ボタン
３０    マイクロコンピュータ
３１    ＣＰＵ
３２    ＲＯＭ
３３    ＲＡＭ
７１    主制御回路
７２    副制御回路
【図１】
2009028303.tif 000003
【図２】
2009028303.tif 000004
【図３】
2009028303.tif 000005
【図４】
2009028303.tif 000006
【図５】
2009028303.tif 000007
【図６】
2009028303.tif 000008
【図７】
2009028303.tif 000009
【図８】
2009028303.tif 000010
【図９】
2009028303.tif 000011
【図１０】
2009028303.tif 000012
【図１１】
2009028303.tif 000013
【図１２】
2009028303.tif 000014
【図１３】
2009028303.tif 000015
【図１４】
2009028303.tif 000016
【図１５】
2009028303.tif 000017
【図１６】
2009028303.tif 000018
【図１７】
2009028303.tif 000019
【図１８】
2009028303.tif 000020
【図１９】
2009028303.tif 000021
【図２０】
2009028303.tif 000022
【図２１】
2009028303.tif 000023
【図２２】
2009028303.tif 000024
【図２３】
2009028303.tif 000025
【図２４】
2009028303.tif 000026
【図２５】
2009028303.tif 000027
【図２６】
2009028303.tif 000028
【図２７】
2009028303.tif 000029
【図２８】
2009028303.tif 000030
【図２９】
2009028303.tif 000031
【図３０】
2009028303.tif 000032